(57)【要約】      （修正有）【課題】干渉を与えるより強い基地局の存在の中で、サービスを提供する弱い基地局と通信する技術を提供する。【解決手段】ユーザ装置（ＵＥ）は、干渉を与えるより強い基地局のタイミングに追従してもよく、または、ＵＥは、複数の基地局からの合成電力遅延プロファイル(ＰＤＰ)により求められるタイミングに追従してもよい。合成ＰＤＰは、ある重みづけ形式に従って個々の基地局のＰＤＰを調整することによってつくられる。そのような方法で得られるタイミングは、干渉を与える基地局のチャネルの推定と当該基地局からの干渉を与える信号をキャンセルすることとのために用いられる。また、それは、バックオフを加えた後、サービスを提供する基地局のチャネルを推定するために使われる。ＵＥは、干渉を与えるより強い基地局の周波数に追従してもよいし、または、ＵＥは、合成周波数に追従してもよい。【選択図】図９
2014123961.tif 000002
【特許請求の範囲】
【請求項１】
干渉を与える基地局からの干渉の存在の中で、サービスを提供する基地局とのワイヤレス通信のための方法であって、
干渉を与える基地局から基準信号を獲得することと、
前記干渉を与える基地局の前記獲得された基準信号からタイミング基準を得ることと、
前記干渉を与える基地局からの前記タイミング基準に基づき、サービスを提供する基地局と通信することと、
を備える方法。
【請求項２】
前記干渉を与える基地局とサービスを提供する基地局とは、ロングタームエボリューション（long term evolution (LTE)）のネットワークにおける進化型ノードＢ（evolved NodeB）である、請求項１に記載の方法。
【請求項３】
前記通信することは、
前記タイミング基準にバックオフを適用することにより、バックオフされたタイミング基準を生成することと、
前記バックオフされたタイミング基準を用いて、前記サービスを提供する基地局と通信することと、
を備える、請求項１に記載の方法。
【請求項４】
干渉を与える基地局からの干渉の存在の中で、サービスを提供する基地局をもつワイヤレス通信システムにおいて、動作可能な装置であって、
干渉を与える基地局から基準信号を獲得するための手段と、
前記干渉を与える基地局の前記獲得された基準信号からタイミング基準を得るための手段と、
前記干渉を与える基地局からの前記タイミング基準に基づき、サービスを提供する基地局と通信するための手段と、
を備える装置。
【請求項５】
干渉を与える基地局からの干渉の存在の中で、サービスを提供する基地局をもつワイヤレスネットワークにおける、ワイヤレス通信のためのコンピュータプログラム製品であって、
その上に記録されたプログラムコードを有するコンピュータ読み出し可能媒体を備え、
前記プログラムコードは
干渉を与える基地局から基準信号を獲得するためのプログラムコードと、
前記干渉を与える基地局の前記獲得された基準信号からタイミング基準を得るためのプログラムコードと、
前記干渉を与える基地局からの前記タイミング基準に基づき、サービスを提供する基地局と通信するためのプログラムコードと、を有する、
コンピュータプログラム製品。
【請求項６】
干渉を与える基地局からの干渉の存在の中で、前記サービスを提供する基地局をもつワイヤレス通信システムにおいて、動作可能な装置であって、
少なくとも１つのプロセッサと、
前記少なくとも１つのプロセッサに接続されるメモリと、を備え、
前記少なくとも１つのプロセッサは、
干渉を与える基地局から基準信号を獲得するためと、
前記干渉を与える基地局の前記獲得された基準信号からタイミング基準を得るためと、
前記干渉を与える基地局からの前記タイミング基準に基づき、サービスを提供する基地局と通信するためと、に構成される、
装置。
【請求項７】
干渉を与える基地局からの干渉の存在の中で、サービスを提供する基地局をもつワイヤレス通信システムにおいて、動作可能な方法であって、
干渉を与える強い基地局から第１の基準信号を獲得することと、
前記第１の基準信号から第１の周波数基準を得ることと、
前記干渉を与える基地局からの前記第１の周波数基準に基づき、サービスを提供する基地局と通信することと、
を備える方法。
【請求項８】
前記サービスを提供する基地局から第２の基準信号を獲得することと、
前記第２の基準信号から第２の周波数基準を得ることと、
前記第１と第２の周波数基準を用いて、前記サービスを提供する基地局と前記干渉を与える強い基地局との間の周波数オフセットの違いを推定することと、
前記サービスを提供する基地局において前記周波数オフセットの違いを補償することと、
を更に備える、請求項７に記載の方法。
【請求項９】
前記干渉を与える基地局とサービスを提供する基地局とは、ロングタームエボリューション（long term evolution (LTE)）のネットワークにおける進化型ノードＢ（evolved NodeB）である、請求項７に記載の方法。
【請求項１０】
干渉を与える基地局からの干渉の存在の中で、サービスを提供する基地局をもつワイヤレス通信システムにおいて、動作可能な装置であって、
干渉を与える強い基地局から第１の基準信号を獲得するための手段と、
前記第１の基準信号から第１の周波数基準を得るための手段と、
前記干渉を与える基地局からの前記第１の周波数基準に基づき、サービスを提供する基地局と通信するための手段と、
を備える装置。
【請求項１１】
干渉を与える基地局からの干渉の存在の中で、サービスを提供する基地局をもつワイヤレスネットワークにおける、ワイヤレス通信のためのコンピュータプログラム製品であって、
その上に記録されたプログラムコードを有するコンピュータ読み出し可能媒体を備え、
前記プログラムコードは、
干渉を与える強い基地局から第１の基準信号を獲得するためのプログラムコードと、
前記第１の基準信号から第１の周波数基準を得るためのプログラムコードと、
前記干渉を与える基地局からの前記第１の周波数基準に基づき、サービスを提供する基地局と通信するためのプログラムコードと、を有する、
コンピュータプログラム製品。
【請求項１２】
干渉を与える基地局からの干渉の存在の中で、サービスを提供する基地局をもつワイヤレスネットワークにおいて、動作可能な装置であって、
少なくとも１つのプロセッサと、
前記少なくとも１つのプロセッサに接続されるメモリと、を備え、
前記少なくとも１つのプロセッサは、
干渉を与える強い基地局から第１の基準信号を獲得するためと、
前記第１の基準信号から第１の周波数基準を得るためと、
前記干渉を与える基地局からの前記第１の周波数基準に基づき、サービスを提供する基地局と通信するためと、に構成される、
装置。
【請求項１３】
干渉を与える基地局からの干渉の存在の中で、サービスを提供する基地局をもつワイヤレス通信システムにおいて、動作可能な方法であって、
第１の基地局から第１の基準信号を獲得することと、
前記第１の基準信号から第１の電力遅延プロファイル(PDP)をつくることと、
第２の基地局から第２の基準信号を獲得することと、
前記第２の基準信号から第２の電力遅延プロファイルをつくることと、
前記第１と第２の電力遅延プロファイルから合成電力遅延プロファイルをつくることと、
前記合成電力遅延プロファイルから、合成された信号に係るタイミング基準を生成することと、
を備える方法。
【請求項１４】
前記第１と第２の基地局は、ロングタームエボリューション（long term evolution (LTE)）のネットワークにおける進化型ノードＢ（evolved NodeB）である、請求項１３に記載の方法。
【請求項１５】
第３の基地局から第３の基準信号を獲得することと、
前記第３の基準信号から第３の電力遅延プロファイルをつくることと、を更に備え、
前記合成電力遅延プロファイルをつくることは、更に、前記第３の電力遅延プロファイルから合成電力遅延プロファイルをつくること、を有する、
請求項１３に記載の方法。
【請求項１６】
前記第２の基準信号を獲得することの前に、前記第２の基準信号をキャンセルすること、
を更に備える請求項１３に記載の方法。
【請求項１７】
前記合成電力遅延プロファイルをつくることは、第１と第２の電力遅延プロファイルに重みを適用すること、を更に有する請求項１３に記載の方法。
【請求項１８】
前記第１の電力遅延プロファイルに与えられる前記重みは、前記第１の基地局と前記第２の基地局のセルタイプに基づく、請求項１７に記載の方法。
【請求項１９】
前記第１の基地局または前記第２の基地局のセルタイプは、プライマリ同期信号（Primary Synchronization Signal (PSS)）、セカンダリ同期信号（Secondary Synchronization Signal (SSS)）、物理同報チャネル（Physical Broadcast Channel (PBCH)）、前記ＰＢＣＨのシステム情報、および、近くの局リスト（neighbor list）の内の１つに基づき決められる、
請求項１８に記載の方法。
【請求項２０】
干渉を与える基地局からの干渉の存在の中で、サービスを提供する基地局をもつワイヤレス通信システムにおいて、動作可能な装置であって、
第１の基地局から第１の基準信号を獲得するための手段と、
前記第１の基準信号から第１の電力遅延プロファイル（PDP）をつくるための手段と、
第２の基地局から第２の基準信号を獲得するための手段と、
前記第２の基準信号から第２の電力遅延プロファイルをつくるための手段と、
前記第１と第２の電力遅延プロファイルから合成電力遅延プロファイルをつくるための手段と、
前記合成電力遅延プロファイルから、合成された信号に係るタイミング基準を生成するための手段と、
を備える装置。
【請求項２１】
干渉を与える基地局からの干渉の存在の中で、サービスを提供する基地局をもつワイヤレスネットワークにおける、ワイヤレス通信のためのコンピュータプログラム製品であって、
その上に記録されたプログラムコードをもつコンピュータ読み出し可能媒体を備え、
前記プログラムコードは、
第１の基地局から第１の基準信号を獲得するためのプログラムコードと、
前記第１の基準信号から第１の電力遅延プロファイル（PDP）をつくるためのプログラムコードと、
第２の基地局から第２の基準信号を獲得するためのプログラムコードと、
前記第２の基準信号から第２の電力遅延プロファイルをつくるためのプログラムコードと、
前記第１と第２の電力遅延プロファイルから合成電力遅延プロファイルをつくるためのプログラムコードと、
前記合成電力遅延プロファイルから、合成された信号に係るタイミング基準を生成するためのプログラムコードと、を有する、
コンピュータプログラム製品。
【請求項２２】
干渉を与える基地局からの干渉の存在の中で、サービスを提供する基地局をもつワイヤレス通信システムにおいて、動作可能な装置であって、
少なくとも１つのプロセッサと、
前記少なくとも１つのプロセッサに接続されるメモリと、を備え、
前記少なくとも１つのプロセッサは、
第１の基地局から第１の基準信号を獲得するためと、
前記第１の基準信号から第１の電力遅延プロファイル（PDP）をつくるためと、
第２の基地局から第２の基準信号を獲得するためと、
前記第２の基準信号から第２の電力遅延プロファイルをつくるためと、
前記第１と第２の電力遅延プロファイルから合成電力遅延プロファイルをつくるためと、
前記合成電力遅延プロファイルから、合成された信号に係るタイミング基準を生成するためと、に構成される、
装置。
【請求項２３】
前記第１と第２の基地局は、ロングタームエボリューション（long term evolution (LTE)）のネットワークにおける進化型ノードＢ（evolved NodeB）である、請求項２２に記載の装置。
【請求項２４】
前記プロセッサは、更に、
第３の基地局から第３の基準信号を獲得するためと、
前記第３の基準信号から第３の電力遅延プロファイルをつくるためと、に構成され、
前記プロセッサが合成電力遅延プロファイルをつくるために構成されることは、前記第３の電力遅延プロファイルから合成電力遅延プロファイルをつくために前記プロセッサを構成すること、を有する、
請求項２２に記載の方法。
【請求項２５】
前記プロセッサは、更に、前記第２の基準信号を獲得する前に、前記第１の基準信号をキャンセルするために構成される、
請求項２２に記載の装置。
【請求項２６】
合成電力遅延プロファイルをつくることは、更に、第１と第２の電力遅延プロファイルに重みを適用すること、を備える
請求項２２に記載の装置。
【請求項２７】
前記第１の電力遅延プロファイルに与えられる前記重みは、前記第１の基地局と前記第２の基地局のセルタイプに基づく、請求項２６に記載の装置。
【請求項２８】
前記第１の基地局または前記第２の基地局のセルタイプは、以下：
プライマリ同期信号（Primary Synchronization Signal (PSS)）、セカンダリ同期信号（Secondary Synchronization Signal (SSS)）、物理同報チャネル（Physical Broadcast Channel (PBCH)）、前記ＰＢＣＨのシステム情報、および、近くの局リスト（neighbor list）、
の内の１つに基づき決められる、
請求項２７に記載の装置。
【請求項２９】
干渉を与える基地局からの干渉の存在の中での、サービスを提供する基地局とのワイヤレス通信のための方法であって、
受信される信号から基準信号を取り出すこと、前記基準信号は、検出される複数の基地局の中からの最も強い干渉を与える基地局に係る、と、
前記受信される信号から前記基準信号を引き去ることと、
前記受信される信号から複数の基準信号を取り出すこと、前記複数の基準信号は、前記検出される複数の基地局に係る、と、
前記受信される信号から、前記複数の基準信号を引き去ることと、
前記基準信号と前記複数の基準信号とを用いて、合成周波数誤差を推定することと、
前記合成周波数誤差に基づいて周波数トラッキングループを可動にすることと、
前記検出される複数の基地局に係る複数の周波数オフセットを推定することと、
前記合成周波数誤差と前記検出される複数の基地局のうちの１つに係る前記複数の周波数オフセットの１つとを用いて、前記検出される複数の基地局のうちの前記１つに係る残留周波数誤差を補償することと、
を備える方法。
【請求項３０】
干渉を与える基地局からの干渉の存在の中で、サービスを提供する基地局をもつワイヤレス通信システムにおいて、動作可能な装置であって、
受信される信号から基準信号を取り出すための手段、前記基準信号は、検出される複数の基地局の中からの最も強い干渉を与える基地局に係る、と、
前記受信される信号から前記基準信号を引き去るための手段と、
前記受信される信号から複数の基準信号を取り出すための手段、前記複数の基準信号は、前記検出される複数の基地局に係る、と、
前記受信される信号から、前記複数の基準信号を引き去るための手段と、
前記基準信号と前記複数の基準信号とを用いて、合成周波数誤差を推定するための手段と、
前記合成周波数誤差に基づいて周波数トラッキングループを可動にするための手段と、
前記検出される複数の基地局に係る複数の周波数オフセットを推定するための手段と、
前記合成周波数誤差と前記検出される複数の基地局のうちの１つに係る前記複数の周波数オフセットの１つとを用いて、前記検出される複数の基地局のうちの前記１つに係る残留周波数誤差を補償するための手段と、
を備える装置。
【請求項３１】
干渉を与える基地局からの干渉の存在の中で、サービスを提供する基地局をもつワイヤレスネットワークにおける、ワイヤレス通信のためのコンピュータプログラム製品であって、
その上に記録されたプログラムコードをもつコンピュータ読み出し可能媒体を備え、
前記プログラムコードは、
受信される信号から基準信号を取り出すためのプログラムコード、前記基準信号は、検出される複数の基地局の中からの最も強い干渉を与える基地局に係る、と、
前記受信される信号から前記基準信号を引き去るためのプログラムコードと、
前記受信される信号から複数の基準信号を取り出すためのプログラムコード、前記複数の基準信号は、前記検出される複数の基地局に係る、と、
前記受信される信号から、前記複数の基準信号を引き去るためのプログラムコードと、
前記基準信号と前記複数の基準信号とを用いて、合成周波数誤差を推定するためのプログラムコードと、
前記合成周波数誤差に基づいて周波数トラッキングループを可動にするためのプログラムコードと、
前記検出される複数の基地局に係る複数の周波数オフセットを推定するためのプログラムコードと、
前記合成周波数誤差と前記検出される複数の基地局のうちの１つに係る前記複数の周波数オフセットの１つとを用いて、前記検出される複数の基地局のうちの前記１つに係る残留周波数誤差を補償するためのプログラムコードと、を有する、
コンピュータプログラム製品。
【請求項３２】
少なくとも１つのプロセッサと、
前記少なくとも１つのプロセッサに接続されるメモリと、を備え、
前記少なくとも１つのプロセッサは、
受信される信号から基準信号を取り出すためと、ここで、前記基準信号は、検出される複数の基地局の中からの最も強い干渉を与える基地局に係る、
前記受信される信号から前記基準信号を引き去るためと、
前記受信される信号から複数の基準信号を取り出すためと、ここで、前記複数の基準信号は、前記検出される複数の基地局に係る、
前記受信される信号から、前記複数の基準信号を引き去るためと、
前記基準信号と前記複数の基準信号とを用いて、合成周波数誤差を推定するためと、
前記合成周波数誤差に基づいて周波数トラッキングループを可動にするためと、
前記検出される複数の基地局に係る複数の周波数オフセットを推定するためと、
前記合成周波数誤差と前記検出される複数の基地局のうちの１つに係る前記複数の周波数オフセットの１つとを用いて、前記検出される複数の基地局のうちの前記１つに係る残留周波数誤差を補償するためと、に構成され、
干渉を与える基地局からの干渉の存在の中で、サービスを提供する基地局をもつワイヤレス通信システムにおいて、動作可能な装置。
【発明の詳細な説明】
【関連出願】
【０００１】
本出願は、２００９年１０月２１日に出願された米国仮特許出願第６１／２５３，７９０に優先権を主張し、そこに開示された事項は、その全体において、参照によって明確にこの出願に組み込まれる。
【技術分野】
【０００２】
本開示のいくつかの態様は、一般的に、ワイヤレス通信システムに関係し、より具体的には、ワイヤレス通信システムにおいて、ユーザ装置からの下りリンク通信のレートを制御することに係る。
【背景技術】
【０００３】
無線通信ネットワークは、音声、画像、パケットデータ、メッセージング、放送、等々のような様々な通信サービスを提供するために広く配置される。これらのワイヤレスネットワークは、利用可能なネットワーク資源（resources）を共用することにより複数のユーザをサポートすることができる多元接続ネットワーク（multiple-access networks）であり得る。このようなネットワークは、通常、多元接続ネットワークであるが、利用可能なネットワークワーク資源を共用することにより、複数のユーザのための通信をサポートする。このようなネットワークの一例は、ユニバーサル・テレストリアル・無線接続ネットワーク（Universal Terrestrial Radio Access Network (UTRAN)）である。ＵＴＲＡＮは、第３世代パートナーシッププロジェクト（the 3rd Generation Partnership Project (3GPP)）によってサポートされる第３世代(3G)の移動電話技術であるユニバーサル移動通信システム（Universal Mobile Telecommunications System (UMTS)）の一部として規定された無線接続ネットワーク（radio access network (RAN)）である。多元接続ネットワークフォーマットの例は、符号分割多元接続（Code Division Multiple Access (CDMA)）ネットワーク、時分割多元接続(Time Division Multiple Access (TDMA))ネットワーク、周波数分割多元接続(Frequency Division Multiple Access (FDMA))ネットワーク、直交ＦＤＭＡ(Orthogonal FDMA (OFDMA))ネットワーク、および、１キャリアＦＤＭＡ(Single-Carrier FDMA (SC-FDMA)）ネットワークである。
【０００４】
ワイヤレス通信ネットワークは、いくつかのユーザ装置（user equipments (UEs)）にかかわる通信をサポートすることができるいくつかの基地局(base stations)またはノードＢ(node Bs)をもつ。ＵＥは、下りリンクと上りリンクを介して基地局と通信する。下りリンク（または順方向リンク）は基地局からＵＥへの通信リンクのことをいい、上りリンク（または逆方向リンク）はＵＥから基地局への通信リンクのことをいう。
【０００５】
基地局は、ＵＥに、下りリンク上でデータと制御情報を送信し、および／または、ＵＥから、上りリンク上でデータと制御情報を受信する。下りリンク上で、基地局からの送信は、近くの基地局から、または、他のワイヤレス無線周波数（wireless radio frequency (RF)）通信からの送信による干渉にあう可能性がある。上りリンク上で、ＵＥからの送信は、近くの基地局と通信をしている他のＵＥの上りリンク送信から、または、他のワイヤレスＲＦ送信からの干渉にあう可能性がある。この干渉は、下りリンクと上りリンクとの両方で、性能を低下させる。
【０００６】
一般に、ワイヤレス多元接続通信システムは、複数のワイヤレス端末に係る通信を同時にサポートすることができる。各端末は、順方向および逆方向のリンク上での送信を介し、１つまたはそれより多くの基地局とやり取りを行う。順方向リンク（または下りリンク）は、基地局から端末への通信リンクのことをいい、逆方向リンク（または上りリンク）は、端末から基地局への通信リンクのことをいう。この通信リンクは、１入力−１出力(single-input single-output (SISO))、多入力−１出力(multiple-input single-output (MISO))、または、多入力−多出力(multiple-input multiple-output (MIMO))のシステムを通じて確立される。
【０００７】
ＭＩＭＯシステムは、データ送信のために、複数（ＮＴ個）の送信アンテナと複数（ＮＲ個）の受信アンテナを用いる。ＮＴ個の送信アンテナとＮＲ個の受信アンテナによってつくられるＭＩＭＯチャネルは、ＮＳ個の独立のチャネルに分解されることができる（ここで、ＮＳ≦ｍｉｎ｛ＮＴ，ＮＲ｝）。ＮＳ個の独立チャネルの各々は、次元（dimension）に対応する。ＭＩＭＯシステムは、複数の送信、受信のアンテナによりつくりだされる追加の次元が用いられるならば、改善された性能（例えば、より高いスループット、および／または、より高い信頼性）を与え得る。
【０００８】
ＭＩＭＯシステムは、時分割多重(time division duplex (TDD))および周波数分割多重(frequency division duplex (FDD))のシステムをサポートする。ＴＤＤシステムにおいて、順方向および逆方向リンク送信は、同じ周波数領域で行われ、相反原理（reciprocity principle）により、逆方向リンクチャネルから順方向リンクチャネルの予測を行うことを許容する。これは、複数アンテナがアクセスポイントで利用可能であるとき、アクセスポイントが順方向リンク上の送信ビームフォーミング利得（transmit beamforming gain）を導き出すことを可能にする。
【０００９】
移動体広帯域接続を求める要求が増大し続けるとともに、長距離のワイヤレス通信ネットワークに接続するＵＥの数が増え、コミュニティの中に散らばる短距離ワイヤレスシステムの数が増えるのに応じて、干渉と渋滞したネットワークの可能性も大きくなる。研究開発は、移動体広帯域接続の需要の増大に合わせるためだけでなく、移動体通信を用いたユーザの体験を向上させ、発展させるために、ＵＭＴＳ技術を進歩させ続けている。
【発明の概要】
【００１０】
干渉を与える基地局からの干渉の存在の中で、サービスを提供している基地局とのワイヤレス通信を行うための方法は、干渉を与える基地局から基準信号を獲得すること、を含む。この方法は、また、獲得された「干渉を与える基地局の基準信号」から「タイミング基準(timing reference)」を得ることと、干渉を与える基地局からの「タイミング基準」に基づき、サービスを提供している基地局と通信を行うことと、を備える。
【００１１】
他の態様において、装置は、干渉を与える基地局からの干渉の存在の中でサービスを提供している基地局をもつワイヤレス通信システムにおいて、動作可能である。この装置は、干渉を与える基地局から基準信号を獲得するための手段と、獲得された「干渉を与える基地局の基準信号」から「タイミング基準(timing reference)」を得るための手段と、干渉を与える基地局からの「タイミング基準」に基づき、サービスを提供している基地局と通信を行うための手段と、をもつ。
【００１２】
他の態様において、干渉を与える基地局からの干渉の存在の中でサービスを提供している基地局をもつワイヤレスネットワークでのワイヤレス通信のために、コンピュータプログラム製品は、その上に記録されたプログラムコードをもつコンピュータ読み出し可能媒体を有する。このプログラムコードは、干渉を与える基地局から基準信号を獲得するためにプログラムコードを、獲得された「干渉を与える基地局の基準信号」から「タイミング基準(timing reference)」を得るためにプログラムコードを、干渉を与える基地局からの「タイミング基準」に基づき、サービスを提供している基地局と通信を行うためにプログラムコードを、有する。
【００１３】
他の態様において、装置は、干渉を与える基地局からの干渉の存在の中で、サービスを提供している基地局とのワイヤレス通信システムにおいて動作可能である。この装置は、プロセッサ（または複数の）、プロセッサに接続されるメモリをもつ。このプロセッサは、干渉を与える基地局から基準信号を獲得するため、獲得された「干渉を与える基地局の基準信号」から「タイミング基準(timing reference)」を得るため、および、干渉を与える基地局からの「タイミング基準」に基づき、サービスを提供している基地局と通信を行うために、構成される。
【００１４】
干渉を与える基地局からの干渉の存在の中で、サービスを提供している基地局とのワイヤレス通信を行うための方法は、干渉を与える強い基地局から第１の基準信号を獲得すること、を含む。この方法は、また、第１の基準信号から「第１の周波数基準(frequency reference)」を得ることと、干渉を与える基地局からの第１の周波数基準に基づき、サービスを提供している基地局と通信を行うことと、を備える。
【００１５】
他の態様において、装置は、干渉を与える基地局からの干渉の存在の中でサービスを提供している基地局をもつワイヤレス通信システムにおいて、動作可能である。この装置は、干渉を与える強い基地局から第１の基準信号を獲得するための手段と、第１の基準信号から「第１の周波数基準(frequency reference)」を得るための手段と、干渉を与える基地局からの第１の周波数基準に基づき、サービスを提供している基地局と通信を行うための手段と、をもつ。
【００１６】
他の態様において、干渉を与える基地局からの干渉の存在の中でサービスを提供している基地局をもつワイヤレスネットワークにおけるワイヤレス通信のために、コンピュータプログラム製品は、その上に記録されたプログラムコードをもつコンピュータ読み出し可能媒体を有する。このプログラムコードは、干渉を与える強い基地局から第１の基準信号を獲得するためにプログラムコードを、第１の基準信号から「第１の周波数基準(frequency reference)」を得るためにプログラムコードを、干渉を与える基地局からの第１の周波数基準に基づき、サービスを提供している基地局と通信を行うためにプログラムコードを、備える。
【００１７】
他の態様において、装置は、干渉を与える基地局からの干渉の存在の中でサービスを提供している基地局をもつワイヤレス通信システムにおいて、動作可能である。この装置は、プロセッサ（または複数の）とプロセッサに接続されるメモリをもつ。このプロセッサは、干渉を与える強い基地局から第１の基準信号を獲得するため、第１の基準信号から「第１の周波数基準(frequency reference)」を得るため、干渉を与える基地局からの第１の周波数基準に基づき、サービスを提供している基地局と通信を行うため、に構成される。
【００１８】
他の実施形態では、干渉を与える基地局からの干渉の存在の中で、サービスを提供している基地局とのワイヤレス通信のための方法は、第１の基地局から第１の基準信号を獲得すること、を含む。この方法は、また、第１の基準信号から「第１の電力遅延プロファイル(power delay profile (PDP))」をつくることと、第２の基地局から第２の基準信号を獲得することと、第２の基準信号から第２の電力遅延プロファイルをつくることと、を備える。この方法は、更に、第１と第２の電力遅延プロファイルから、合成電力遅延プロファイルをつくることと、合成電力遅延プロファイルから、合成された信号に係るタイミング基準を生成することと、を備える。
【００１９】
他の態様では、装置は、干渉を与える基地局からの干渉の存在の中で、サービスを提供している基地局をもつワイヤレス通信システムで、動作可能である。この装置は、第１の基地局から第１の基準信号を獲得するための手段と、第１の基準信号から「第１の電力遅延プロファイル(power delay profile (PDP))」をつくるための手段と、第２の基地局から第２の基準信号を獲得するための手段とを備える。この装置は、また、第２の基準信号から第２の電力遅延プロファイルを構築個するための手段と、第１と第２の電力遅延プロファイルから、合成電力遅延プロファイルをつくるための手段と、合成電力遅延プロファイルから、合成された信号に係るタイミング基準を生成するための手段と、を備える。
【００２０】
他の態様では、干渉を与える基地局からの干渉の存在の中でサービスを提供している基地局をもつワイヤレスネットワークにおいて、ワイヤレス通信のために、コンピュータプログラム製品は、その上に記録されたプログラムコードももつコンピュータ読み出し可の媒体を有する。このプログラムコードは、第１の基地局から第１の基準信号を獲得するためにプログラムコードを、第１の基準信号から「第１の電力遅延プロファイル(power delay profile (PDP))」をつくるためにプログラムコードを、第２の基地局から第２の基準信号を獲得するためにプログラムコードを、を備える。また、第２の基準信号から第２の電力遅延プロファイルを構築個するためにプログラムコードが、第１と第２の電力遅延プロファイルから、合成電力遅延プロファイルをつくるためにプログラムコードが、合成電力遅延プロファイルから、合成された信号に係るタイミング基準を生成するためにプログラムコードが、備わる。
【００２１】
他の態様では、装置は、干渉を与える基地局からの干渉の存在の中で、サービスを提供している基地局をもつワイヤレス通信システムで、動作可能である。装置は、プロセッサ（または複数の）と、プロセッサに接続されるメモリとを備える。このプロセッサは、第１の基地局から第１の基準信号を獲得するため、第１の基準信号から第１の電力遅延プロファイル(power delay profile (PDP))をつくるため、第２の基地局から第２の基準信号を獲得するため、に構成される。また、このプロセッサは、第２の基準信号から第２の電力遅延プロファイルをつくるため、第１と第２の電力遅延プロファイルから、合成電力遅延プロファイルをつくるため、合成電力遅延プロファイルから、合成された信号に係るタイミング基準を生成するため、に構成される。
【００２２】
他の態様では、干渉を与える基地局からの干渉の存在の中で、サービスを提供している基地局とのワイヤレス通信のための方法は、受信信号から基準信号を取り出すことを備え、基準信号は、複数の検出される基地局から干渉を与える最も強い基地局に係る。この方法は、また、受信信号から前記基準信号を取り除き、受信信号から複数の基準信号を取り出す。これら複数の基準信号は、検出される複数の基地局に係る。この方法は、更に、受信信号から前記複数の基準信号を取り除くことと、前記基準信号と前記複数の基準信号とを用いて合成周波数誤差を推定すること、合成周波数誤差に基づき周波数トラッキング（追従）ループ(frequency tracking loop)を可動にすること、を備える。また、この方法は、検出される基地局に係る周波数オフセットを推定することと、合成周波数誤差、および、検出される基地局の１つに係る周波数オフセットのひとつを用いて、検出される基地局の１つに係る残留周波数誤差（residual frequency error）を補償すること、を備える。
【００２３】
他の態様では、装置は、干渉を与える基地局からの干渉の存在の中でサービスを提供している基地局をもつワイヤレス通信システムで動作可能である。この装置は、受信信号から基準信号を取り出すための手段を備え、基準信号は、複数の検出される基地局から最も干渉を与える強い基地局に係る。この装置は、また、受信信号から基準信号を取り除くための手段と、受信信号から複数の基準信号を取り出すための手段と、を備える。前記複数の基準信号は、複数の検出される基地局に係る。この装置は、また、受信信号から前記複数の基準信号を取り除くための手段と、前記基準信号と前記複数の基準信号とを用いて合成周波数誤差を推定するための手段と、を備える。また、この装置は、合成周波数誤差に基づき周波数トラッキングループ(frequency tracking loop)を可動にするための手段と、複数の周波数オフセットを推定するための手段と、を備える。周波数オフセットは、検出される基地局と、合成周波数誤差と検出される基地局の１つに係る周波数オフセットのひとつを用いて、検出される基地局の１つに係る残留周波数誤差（residual frequency error）を補償するための手段と、に係る。
【００２４】
他の態様では、干渉を与える基地局からの干渉の存在の中でサービスを提供している基地局をもつワイヤレスネットワークにおけるワイヤレス通信のために、コンピュータプログラム製品は、その上に記録されたプログラムコードをもつコンピュータ読み出し可能媒体を有する。このプログラムコードは、受信信号から基準信号を取り出すためにプログラムコードを備え、この基準信号は、複数の検出される基地局から干渉を与える最も強い基地局に係る。このプログラムコードは、また、受信信号から前記基準信号を取り除くためにプログラムコードを、受信信号から複数の基準信号を導きだすためにプログラムコードを、備える。前記複数の基準信号は、複数の検出される基地局に係る。このプログラムコードは、また、受信信号から複数の基準信号を取り除くためにプログラムコードを、前記基準信号と前記複数の基準信号とを用いて合成周波数誤差を推定するためにプログラムコードを、備える。また、このプログラムコードは、合成周波数誤差に基づき周波数トラッキングループ(frequency tracking loop)を可動にするためにプログラムコードを、検出される基地局に係る複数の周波数オフセットを推定するためにプログラムコードを、合成周波数誤差、および、検出される基地局の１つに係る周波数オフセットのひとつを用いて、検出される基地局の１つに係る残留周波数誤差（residual frequency error）を補償するためにプログラムコードを、備える。
【００２５】
他の態様では、装置は、干渉を与える基地局からの干渉の存在の中でサービスを提供している基地局をもつワイヤレス通信システムで、動作可能である。この装置は、プロセッサ（または複数の）と、プロセッサに接続されるメモリと、を備える。このプロセッサは、受信信号から基準信号を取り出すために構成され、この基準信号は、複数の検出される基地局から干渉を与える最も強い基地局に係る。また、このプロセッサは、受信信号から基準信号を取り除くため、受信信号から複数の基準信号を取り出すため、に構成される。前記複数の基準信号は、複数の検出される基地局に係る。このプロセッサは、また、受信信号から複数の基準信号を取り除くため、前記基準信号と前記複数の基準信号とを用いて合成周波数誤差を推定するため、合成周波数誤差に基づき周波数トラッキングループ(frequency tracking loop)を可動にするため、に構成される。このプロセッサは、また、複数の検出される基地局に係る複数の周波数オフセットを推定するため、合成周波数誤差、および、複数の周波数オフセットの中の検出される基地局の１つに係るひとつのオフセットを用いて、複数の検出される基地局の中の１つに係る残留周波数誤差（residual frequency error）を補償するため、に構成される。
【００２６】
本開示の態様、特性、および、利点は、以下に記載される詳細な説明から、同様な参照符号が通しで対応して付される図面と組み合わせて考慮されることで、より明確になる。
【図面の簡単な説明】
【００２７】
【図１】図１は、移動体通信システムの例を概念的に示すブロック図である。
【図２】図２は、移動体通信システムにおける下りリンクフレーム構造の例を概念的に示すブロック図である。
【図３】図３は、通常の巡回プレフィックス（cyclic prefix (CP)）長をもつ、セル固有基準信号（cell-specific Reference Signal (RS)）の例を示す。
【図４】図４は、本開示の１つの態様に従う、異種ネットワークにおける適応型リソース分割（adaptive resource partitioning）を概念的に示すブロック図を示す。
【図５】図５は、本開示の１つの態様に従って構成された、基地局／ｅＮＢとＵＥの設計例を概念的に示すブロック図を示す。
【図６】図６は、基準信号を獲得し、用いるための第１の例の流れ図を示す。
【図７】図７は、基準信号を獲得し、用いるための第２の例の流れ図を示す。
【図８Ａ】図８Ａは、電力遅延プロファイル例のグラフを示す。
【図８Ｂ】図８Ｂは、電力遅延プロファイル例のグラフを示す。
【図８Ｃ】図８Ｃは、電力遅延プロファイル例のグラフを示す。
【図９】図９は、基準信号を獲得し、用いるための第３の例の流れ図を示す。
【図１０】図１０は、基準信号を獲得し、トラッキングするための第４の例の流れ図を示す。
【詳細な説明】
【００２８】
以下に記載される詳細な説明は、添付の図面と組み合わせて、様々な構成例の１つの説明として意図されるもので、この中に記載される概念が実施され得る唯一の構成を提示することを意図するものでない。詳細な説明は、様々な概念の十分な理解を与える目的のための特定の具体例を含む。しかし、当技術に習熟した者には、これらの概念は、これらの特定の具体例がなくても実施され得ることは明らかである。ある場合には、そのような概念を不明瞭にすることを避けるために、よく知られた構造やコンポーネントがブロック図の中に示される。
【００２９】
この中に記載される技術は、符号分割多元接続（Code Division Multiple Access (CDMA)）ネットワーク、時分割多元接続（Time Division Multiple Access (TDMA)）ネットワーク、周波数分割多元接続（Frequency Division Multiple Access (FDMA)）ネットワーク、直交ＦＤＭＡ（Orthogonal FDMA (OFDMA)）ネットワーク、１キャリアＦＤＭＡ（Single-Carrier FDMA (SC-FDMA)）ネットワーク、等のような様々な無線通信ネットワークのために使用され得る。ネットワーク（networks）やシステム（systems）の用語は、しばしば、置き換え可能に使われる。ＣＤＭＡネットワークは、ユニバーサル・地上波無線接続（Universal Terrestrial Radio Access (UTRA)）、米国電気通信工業会（Telecommunications Industry Association’s (TIA’s)）のCDMA2000（登録商標）、等のような無線通信技術を実施する。ＵＴＲＡ技術は、ワイドバンドＣＤＭＡ（Wideband CDMA (WCDMA（登録商標）)）や他のＣＤＭＡの変形方式を含む。ＣＤＭＡ２０００（登録商標）の技術は、米国電子工業会（Electronics Industry Alliance (EIA)）とＴＩＡから出されたＩＳ−２０００、ＩＳ−９５、ＩＳ−８５６規格を含む。ＴＤＭＡネットワークは、移動体通信向けグローバルシステム（Global System for Mobile Communications (GSM（登録商標））のような無線通信技術を実施する。ＯＦＤＭＡネットワークは、進化型ＵＴＲＡ（Evolved UTRA (E-UTRA)）、ウルトラモバイルブロードバンド（Ultra Mobile Broadband (UMB)）、ＩＥＥＥ８０２．１１(Wi-Fi)、ＩＥＥＥ８０２．１６(WiMAX)、ＩＥＥＥ８０２．２０、フラッシュ−ＯＦＤＭＡ（Flash-OFDMA）、等々のような無線通信技術を実施する。ＵＴＲＡとＥ−ＵＴＲＡ技術は、ユニバーサル移動体通信システム（Universal Mobile Telecommunication System (UMTS)）の一部となっている。３ＧＰＰロングタームエボリューション（3GPP Long Term Evolution (LTE)）とＬＴＥアドバンスト（LTE-Advanced (LTE-A)）は、Ｅ−ＵＴＲＡを使用するＵＭＴＳのより新しい版である。ＵＴＲＡ，Ｅ−ＵＴＲＡ、ＵＭＴＳ、ＬＴＥ、ＬＴＥ−Ａ、ＧＳＭは、第３世代パートナーシッププロジェクト（3rd Generation Partnership Project (3GPP)）と呼ばれる組織から発行の文献に記載される。ＣＤＭＡ２０００（登録商標）とＵＭＢは、第３世代パートナーシッププロジェクト２（3rd Generation Partnership Project 2(3GPP2)）と呼ばれる組織から発行の文献に記載される。この中に記載される技術は、上述のワイヤレスネットワークや無線通信技術、および、他のワイヤレスネットワークや無線通信技術のために使用されることができる。明瞭化のために、当該技術のある態様は、ＬＴＥまたはＬＴＥ−Ａ（総称して、択一的に、「ＬＴＥ／−Ａ」という）のためのものとして以下に記載され、以下の説明の多くにおいて前記ＬＴＡ／−Ａの用語を用いる。
【００３０】
図１は、ＬＴＥ−Ａであってもよい、ワイヤレス通信ネットワーク１００を示す。ワイヤレスネットワーク１００は、いくつかの進化型ノードＢ（evolved node Bs (eNBs)）１１０と他のネットワーク構成体をもつ。ｅＮＢは、ＵＥとの通信を行うステーション（局）であり、基地局（base station）、ノードＢ（node B）、アクセスポイント、等々と呼ばれてもよい。各ｅＮＢ１１０は、特定の地理的領域のための通信カバー領域（communication coverage）を提供する。３ＧＰＰにおいて、セル（cell）という用語は、この用語が使われる内容により、ｅＮＢの地理的通信領域のこと、および／または、当該カバー領域にサービスを提供するｅＮＢサブシステムのこと、をいうことができる。
【００３１】
ｅＮＢは、マクロセル（macro cell）、ピコセル（pico cell）、フェムトセル（femto cell）、および／または、他の種類のセルのために、通信可能領域を与える。マクロセルは、一般的に、比較的大きな地理的領域（例えば、半径数キロメートル）をカバーし、ネットワークプロバイダとのサービスに加入しているＵＥによる無制限の接続を許容する。ピコセルは、一般的に、比較的にそれより小さい地理的領域をカバーし、根とワークプロバイダとのサービスに加入しているＵＥによる無制限の接続を許容する。フェムトセルは、また、一般的に、比較的小さな地理的領域（例えば、家庭）をカバーし、無制限の接続に加え、フェムトセルとの関連をもつＵＥ（例えば、閉じた加入者グループ（closed subscriber group (CSG)）の中のＵＥ、家庭内のユーザ用のＵＥ、等々）による制限された接続を提供してもよい。マクロセル用のｅＮＢは、マクロｅＮＢと呼ばれる。ピコセル用のｅＮＢは、ピコｅＮＢと呼ばれる。そして、フェムトセル用のｅＮＢは、フェムトｅＮＢまたはホームｅＮＢと呼ばれる。図１に示される例では、ｅＮＢ１１０ａ、１１０ｂ、１１０ｃは、それぞれ、マクロセル１０２ａ，１０２ｂ、１０２ｃのためのマクロｅＮＢである。ｅＮＢ１１０ｘは、ピコセル１０２ｘのためのピコｅＮＢである。そして、ｅＮＢ１１０ｙと１１０ｚは、それぞれ、フェムトセル１０２ｙと１０２ｚのためのフェムトｅＮＢである。ｅＮＢは、１つ、または、複数（例えば、２、３、４、等）のセルをサポートすることができる。
【００３２】
ワイヤレスネットワーク１００は、また、中継局（relay stations）をもつ。中継局は、上流の局（例えば、ｅＮＢ、ＵＥ、等々）からデータおよび／または他の情報の送信を受け、下流の局（例えば、他のＵＥ、他のｅＮＢ、等々）に当該データおよび／または他の情報を送る局（station）である。また、中継局は、他のＵＥへの通信を中継するＵＥであってもよい。図１に示される例において、中継局１１０ｒは、ｅＮＢ１１０ａとＵＥ１２０ｒとの通信をすることができ、その中で、中継局１１０ｒは、それらの間の通信を容易にするために、２つのネットワーク要素（ｅＮＢ１１０ａとＵＥ１２０ｒ）の間で中継器として働く。また、中継局は、リレー（中継）ｅＮＢ、リレー（relay）、等と呼ばれてもよい。
【００３３】
ワイヤレスネットワーク１００は、同期または非同期の動作をサポートできる。同期型の動作のため、ｅＮＢは同様なフレームタイミングをもち、異なるｅＮＢからの送信は、時間において、ほぼ同じに揃えられる。非同期型の動作のために、ｅＮＢは異なるフレームタイミングをもち、異なるｅＮＢからの送信は、時間において揃えられない。この中に記載される技術は、完全な同期型（fully synchronous）のシステムか、または、局所的に同期型（locally synchronous）のシステム（例えば、フェムトセルがマクロセルからそのタイミングを得る場合）のいずれかにおける動作のために用いられ得る。
【００３４】
ネットワークコントローラ１３０は１組のｅＮＢに接続され、これらｅＮＢのための調整と制御を行う。ネットワークコントローラ１３０は、バックホール（backhaul）１３２を介してｅＮＢ群１１０と通信を行う。また、ｅＮＢ群１１０は、例えば、ワイヤレスバックホール１３４または有線バックホール１３６を介して、直接または間接に、お互いに通信を行うことができる。
【００３５】
ＵＥ１２０は、ワイヤレスネットワーク１００の中を通して、分散配置され、各ＵＥは固定あるいは移動可能であってよい。また、ＵＥは、ターミナル（terminal）、移動局（mobile station）、加入端末（subscriber unit）、局（station）、等々とも呼ばれる。ＵＥは、セルラ電話（cellular phone）、パーソナルデジタルアシスタンス（personal digital assistant (PDA)）、ワイヤレスモデム、ワイヤレス通信デバイス、ハンドヘルドデバイス、ラップトップコンピュータ、コードレス電話、ワイヤレスローカルループステーション（wireless local loop (WLL) station）、等々であってよい。ＵＥは、マクロｅＮＢ、ピコｅＮＢ、フェムトｅＮＢ、中継器（リレー）、等々と通信することができる。図１において、両矢印がついた実線は、ＵＥと「サービスを提供するｅＮＢ（serving eNB）」との間の所望の通信をさしており、「サービスを提供するｅＮＢ」とは、下りリンクおよび／または上りリンク上でＵＥにサービスを行うために指定されたｅＮＢである。両矢印つきの破線は、ＵＥとｅＮＢ間の干渉を与える通信を指す。
【００３６】
ＬＴＥ／−Ａは、下りリンク上で直交周波数分割多重（orthogonal frequency division multiplexing (OFDM)）を、上りリンク上で１キャリア周波数分割多重（single-carrier frequency division multiplexing (SC-FDM)）を利用する。ＯＦＤＭとＳＣ−ＯＦＤＭは、システムの帯域幅を複数個（Ｋ個）の直交サブキャリア（また、トーン（tones）、ビン（bins）、等とも呼ばれる）に区切る。一般に、変調シンボルは、ＯＦＤＭでは周波数領域の中で送られ、ＳＣ−ＦＤＭでは時間領域の中で送られる。隣のサブキャリアとの間の間隔は固定であり、サブキャリアの総数（Ｋ）は、システムの帯域幅に依存する。例えば、１．２５、２．５、５、１０または２０メガヘルツ（ＭＨｚ）のシステム帯域幅に対し、Ｋは、それぞれ、１２８、２５６、５１２、１０２４、または、２０４８に等しくてよい。システム帯域幅は、サブバンド（sub-bands）に区切られてもよい。例えば、サブバンドは、１．０８ＭＨｚをカバーし、１．２５、２．５、５、１０または２０メガヘルツ（ＭＨｚ）のシステム帯域幅に対し、それぞれ、１、２、４、８、または、１６個のサブバンドが存在してもよい。
【００３７】
１キャリア変調（single carrier modulation）と周波数領域等化（frequency domain equalization）を用いる１キャリア周波数分割多元接続（Single carrier frequency division multiple access (SC-FDMA)）は１つの送信技術である。ＳＣ−ＦＤＭＡは、ＯＦＤＭＡシステムの性能と同様な性能をもち、ＯＦＤＭＡシステムのシステム全体の複雑さと本質的に同じ複雑さをもつ。ＳＣ−ＦＤＭＡ信号は、固有の１キャリア構造ゆえに、より低い「ピーク電力−平均電力比（peak-to-average power ratio (PAPR)）」をもつ。ＳＣ−ＦＤＭＡを使う上りリンク通信において、より低いＰＡＰＲは、送信電力の効率性の点で、移動端末に利益をもたらす。
【００３８】
図２は、ＬＴＥ／−Ａで使われる下りリンクフレームを示す。下りリンクに係る送信時間軸は、無線フレーム（radio frames）のユニット（単位）に分割される。各無線フレームは、予め決められた持続期間（duration）（例えば、１０ミリ秒（ｍｓ））をもち、０から９までの指標がつけられた１０個のサブフレームに分割される。各サブフレームは、２つのスロットからなる。従って、各無線フレームは、０から１９までの指標がつけられた２０個のスロットをもつ。各スロットは、Ｌシンボル期間、例えば、通常の巡回プレフィックスの場合に７シンボル期間（図２に示される）、または、拡張された巡回プレフィックスの場合に６シンボル期間からなる。各サブフレームにおける２Ｌ個のシンボル期間は、０から（２Ｌ−１）までの指標を付されている。利用可能な時間・周波数リソースは、リソースブロック（resource blocks (RBs)）に分割される。リソースブロックは、１スロットの中でＮ個のサブキャリア（例えば、１２サブキャリア）をカバーする。
【００３９】
ＬＴＥ／−Ａにおいて、ｅＮＢは、このｅＮＢの中の各セルのために、プライマリ同期信号（primary synchronization signal (PSS)）とセカンダリ同期信号（secondary synchronization signal (SSS)）を送る。プライマリとセカンダリの同期信号は、図２に示されるように、通常の巡回プレフィックスをもつ各無線フレームのサブフレーム０と５において、それぞれ、シンボル期間６と５の中で送られる。同期信号は、セル検出と獲得のためにＵＥによって使われる。ｅＮＢは、サブフレーム０のスロット１のシンボル期間０から３の中で、物理同報チャネル（Physical Broadcast Channel (PBCH)）を送ることができる。ＰＢＣＨは、あるシステム情報を運ぶ。
【００４０】
ｅＮＢは、図２に示されるように、各サブフレームの先頭（first）のシンボル期間において、物理制御フォーマット指示チャネル（Physical Control Format Indicator Channel (PCFICH)）を送ることができる。ＰＣＦＩＣＨは、制御チャネルのために使われるシンボル期間の数（Ｍ）（Ｍは１、２、または３に等しく、サブフレームからサブフレームにかけて変化し得る）を運ぶ。また、Ｍは、例えば、１０個より少ないリソースブロックをもつような小さいシステムバンド幅の場合、４に等しい。図２に示される例では、Ｍ＝３である。ｅＮＢは、各サブフレームの先頭（first）のＭ個のシンボル期間の中で、物理ＨＡＲＱ指示チャネル（Physical HARQ Indicator Channel (PHICH)）と物理下りリンク制御チャネル（Physical Downlink Control Channel (PDCCH)）を送ることができる。ＰＤＣＣＨとＰＨＩＣＨは、図２に示される例では、先頭の３シンボル期間におかれる。ＰＨＩＣＨは、ハイブリブリッド自動再送要求（hybrid automatic repeat request (HARQ)）をサポートするための情報を運ぶことができる。ＰＤＣＣＨは、ＵＥのためのリソース配分に関する情報と下りリンクチャネルに係る制御情報を運ぶ。ｅＮＢは、各サブフレームの残りのシンボル期間において、物理下りリンク共有チャネル（Physical Downlink Shared Channel (PDSCH)）を送る。ＰＤＳＣＨは、下りリンク上でのデータ送信のためにスケジュールされた、ＵＥのためのデータを送る。
【００４１】
各サブフレームの制御部、即ち、各サブフレームの先頭のシンボル期間においてＰＨＩＣＨとＰＤＣＣＨを送ることに加え、ＬＴＥ−Ａは、また、各サブフレームのデータ部においても、これらの制御用（control-oriented）のチャネルを送信することができる。図２に示されるように、例えば、中継−物理下りリンク制御チャネル（Relay-Physical Downlink Control Channel (R-PDCCH)）と中継−物理ＨＡＲＱ指示チャネル（Relay-Physical HARQ Indicator Channel (R-PHICH)）のような、データ領域を利用するこれら新しい制御仕様は、各サブフレームの後方のシンボル期間に含まれる。Ｒ−ＰＤＣＣＨは、もともと、半二重の中継動作との関連で設けられたデータ領域を用いる新しいタイプの制御チャネルである。１つのサブフレームの最初の数制御シンボルを占める従来のＰＤＣＣＨやＰＨＩＣＨとは異なり、Ｒ−ＰＤＣＣＨやＲ−ＰＨＩＣＨは、もともとデータ領域として指定されているリソースエレメント（resource elements (REs)）にマッピングされる。新しい制御チャネルは、周波数分割多重（Frequency Division Multiplexing (FDM)）、時分割多重（Time Division Multiplexing (TDM)）、または、ＦＤＭとＴＤＭとの組み合わせのかたちをとる。
【００４２】
ｅＮＢは、ｅＮＢによって使われるシステムバンド幅の中央の１．０８ＭＨｚの中でＰＳＳ、ＳＳＳ、および、ＰＢＣＨを送る。ｅＮＢは、ＰＣＦＩＣＨやＰＨＩＣＨが送られる各シンボル期間におけるシステム帯域幅全体を通して、これらＰＣＦＩＣＨやＰＨＩＣＨを送ることができる。ｅＮＢは、システム帯域幅のある部分において、数グループのＵＥにＰＤＣＣＨを送ることができる。ｅＮＢは、システムバンド幅の特定部分において、特定のＵＥにＰＤＳＣＨを送ることができる。ｅＮＢは、全てのＵＥへの同報形式で、ＰＳＳ、ＳＳＳ、ＰＢＣＨ、ＰＣＦＩＣＨ、および、ＰＨＩＣＨを送り、特定のＵＥにユニキャスト（unicast：単一の送信相手を指定）形式でＰＤＣＣＨを送り、また、特定のＵＥにユニキャスト形式でＰＤＳＣＨを送ることができる。
【００４３】
多くのリソースエレメントが、各シンボル期間において利用される。各リソースエレメントは、１つのシンボル期間において１つのサブキャリアをカバーし、実数または複素数であってよい１つの変調シンボルを送るために用いられる。各シンボル期間において基準信号のために使われないリソースエレメントは、リソースエレメントグループ（resource element groups (REGs)）に構成される。各ＲＥＧは、１つのシンボル期間において、４つのリソースエレメントをもつ。ＰＣＦＩＣＨは、シンボル期間０において、周波数方向にほぼ等しく間隔があけられた４つのＲＥＧを占める。ＰＨＩＣＨは、１つまたはそれより多くの設定可能な（configurable）シンボル期間において、周波数方向に広がる３つのＲＥＧを占める。例えば、ＰＣＩＣＨのための３つのＲＥＧは、全て、シンボル期間０に属し、または、シンボル期間０、１および２に、広げられる。ＰＤＣＣＨは、最初のＭ個のシンボル期間において、利用可能なＲＥＧから選択される、９、１８、３２、または、６４個のＲＥＧを占め得る。ＲＥＧのある組み合わせのみが、ＰＤＣＣＨのために許容される。
【００４４】
ＵＥは、ＰＨＩＣＨとＰＣＦＩＣＨのために用いられる特定のＲＥＧを知っている。ＵＥは、ＰＤＣＣＨに係る異なる組み合わせのＲＥＧを探す。検索を行う「組み合わせ」の数は、ＰＤＣＣＨ用として許される組み合わせの数よりも少なくできる。ｅＮＢは、ＵＥが検索する組み合わせのいずれかにおいて、ＵＥにＰＤＣＣＨを送る。
【００４５】
ＵＥは、複数のｅＮＢのカバー範囲の中に存在し得る。これらのｅＮＢの１つは、ＵＥにサービスを提供するために選択される。サービスを提供するｅＮＢは、受信電力、経路損失（path loss）、信号対ノイズ比（signal-to-noise ratio (SNR)）のような様々な基準に基づき選択される。
【００４６】
ＬＴＳ／−Ａで使用されるＰＳＳ、ＳＳＳ、ＣＲＳ、ＰＢＣＨ、その他同様な信号やチャネルは、公開されている、“Evolved Universal Terrestrial Radio Access (E-UTRA); Physical Channels and Modulation,”という名称の３ＧＰＰ  ＴＳ３６．２１１に記載されている。１つの態様で、１キャリア波形のピーク対平均電力比（peak to average power ratio (PAPR)）（即ち、ある与えられた時間で、チャネルが、周波数領域において連続かまたは一様に間隔が空けられている）特性を低く維持するチャネル構造が提供される。
【００４７】
ワイヤレスネットワーク１００のような異種の要素からなる（heterogeneous）ネットワークの動作では、各ＵＥは、一般に、より良い信号品質のｅＮＢ１１０によってサービスを提供され、一方、その他のｅＮＢ１１０から受信される望まれない信号は、「干渉」として扱われる。そのような動作原理は最適には及ばないまでも、有意な性能を導き出すことはできるが、ネットワークの性能における利得は、ｅＮＢ１１０の間でのインテリジェントなリソースの調整、より良質なサービス提供者選択の方策、および、効果的な干渉のマネージメントのための更に進化した技術を用いることにより、ワイヤレスネットワーク１００において実現される。
【００４８】
ピコＮＢ１１０ｘなどのピコｅＮＢは、マクロｅＮＢ１１０ａ−ｃなどのマクロｅＮＢと比較される場合、実質的により低い送信電力により特徴づけられる。また、ピコｅＮＢは、一般的に、アドホックな（ad hoc；特有な）方法で、ワイヤレスネットワーク１００のようなネットワークのあちこちに置かれる。この無計画な配置故、ピコｅＮＢの設置があるワイヤレスネットワーク１００のようなワイヤレスネットワークは、干渉環境に低い信号を用いる大きな領域をもつことが考えられ、この干渉状態は、カバー領域またはセルのエッジ（へり）にいるＵＥ（“セルエッジ”ＵＥと呼ぶ）への制御チャネル送信にとって、より過酷なＲＦ環境を与え得る。更に、マクロｅＮＢ１１０ａ−ｃとピコｅＮＢ１１０ｘとの間の送信電力レベルの潜在的に大きな差異（例えば、約２０ｄＢ）は、ピコｅＮＢ１１０ｘの下りリンクカバー領域が、混在配置の中で、マクロｅＮＢ１１０ａ−ｃのカバー領域よりずっと小さいことを示唆する。
【００４９】
ＬＴＥ リリース８の規格で与えられるように、セービス提供者の選択が、主として下りリンク受信信号強度に基づく場合、異種ネットワークの混在のｅＮＢ配置の有用性が大きく損なわれる。これは、マクロｅＮＢ１１０ａ−ｃのような高電力マクロｅＮＢの大きなカバー領域が、ピコｅＮＢ１１０ｘのようなピコｅＮＢを用いてセルカバー領域を分割することの効果を限定するからであり、理由は、ピコｅＮＢ１１０ｘは、そのより弱い下りリンク送信電力故に、全てのＵＥにはサービスを提供できないが、マクロｅＮＢ１１０ａ−ｃの高い下りリンク受信信号強度は利用可能なＵＥの全てを引きつけるからである。更に、マクロｅＮＢ１１０ａ−ｃは、それらのＵＥに効果的にサービスを提供するために十分なリソースをもたない可能性がある。従って、ワイヤレスネットワーク１００は、ピコｅＮＢ１１０ｘのカバー領域を広げることにより、能動的に、マクロｅＮＢ１１０ａ−ｃとピコｅＮＢ１１０ｘとの間の負荷をバランスするよう努める」。この概念は、「領域拡張（range extension）」と呼ばれる。
【００５０】
ワイヤレスネットワーク１００は、サービス提供者の選択を決める方法を変えることにより、「領域拡張」を達成する。サービス提供者選択を下りリンク受信信号強度に基づかせる代わりに、選択は、下りリンクの品質により大きく基づくようにする。そのような品質に依存した決定の一例では、サービス提供者の選択は、ＵＥに最も小さい経路損失を提供するｅＮＢを決定することに基づいてよい。加えて、ワイヤレスネットワーク１００は、マクロｅＮＢ１１０ａ−ｃとピコｅＮＢ１１０ｘとの間で等しく、リソースの固定的な区分を提供する。しかしながら、負荷の能動的なバランス化を以ってさえ、マクロｅＮＢ１１０ａ−ｃからの下りリンク干渉は、ピコｅＮＢ１１０ｘのようなピコｅＮＢによるサービスを受けるＵＥのために、軽減されるべきである。これは、ＵＥでの干渉除去（interference cancellation）やｅＮＢ１１０の中でのリソース調整（resource coordination）等を含む、様々な方法によって成し遂げられ得る。
【００５１】
ワイヤレスネットワーク１００のような「領域拡張」を用いる異種ネットワークにおいてマクロｅＮＢ１１０ａ−ｃのような高電力ｅＮＢから送信されるより強い下りリンク信号の存在下で、ＵＥがピコｅＮＢ１１０ｘのような、より低い電力のｅＮＢからのサービスを得るために、ピコｅＮＢ１１０ｘは、マクロｅＮＢ１１０ａ−ｃのうちの顕著に干渉を与えるものとの制御とデータチャネルの干渉調整に関与する。干渉調整のための多くの異なる技術が、干渉をマネージメントするために利用され得る。例えば、セル間干渉調整（inter-cell interference coordination (ICIC)）は、共同一チャネル分配（co-channel deployment）におけるセルからの干渉を低減するために使用されることができる。ＩＣＩＣ機構の１つの例は、時分割多重（time division multiplexing (TDM)）分割である。ＴＤＭ分割は、サブブフレームを、あるｅＮＢに割り付ける。第１のｅＮＢに割り付けられたサブフレームにおいて、近くのｅＮＢは送信をしない。従って、第１のｅＮＢによりサービスの提供を受けるＵＥにより経験される干渉は軽減される。サブフレーム割り付けは、上りリンク、下りリンクチャネルの両方で行われてもよい。
【００５２】
例えば、サブフレームは、サブフレームの３つ区分：保護されたサブフレーム（protected subframes (U subframes)）、禁止されたサブフレーム（prohibited subframes (N subframes)）、および、共通サブフレーム（common subframes (C subframes)  の間で配分される。「保護されたサブフレーム」は、第１のｅＮＢによる排他的な使用のために、第１のｅＮＢに割り付けられる。「保護されたサブフレーム」は、また、近くのｅＮＢからの干渉がないことにより、“クリーンな”サブフレーム（“clean” subframes）と呼ばれる。「禁止されたサブフレーム」は、近くのｅＮＢに割り付けられたサブフレームであり、第１のｅＮＢは「禁止されたサブフレームの間、データの送信を禁止される。例えば、第１のｅＮＢの「禁止されたサブフレーム」は、干渉を与える第２のｅＮＢの「保護されたサブフレーム」に一致する。従って、第１のｅＮＢは、第１のｅＮＢの「保護されたサブフレーム」の間、データを送信する唯一のｅＮＢである。また、「共通のサブフレーム」は、複数のｅＮＢによるデータ送信のために使われる。「共通のサブフレーム」は、他のｅＮＢからの干渉の可能性ゆえに、「クリーンでないサブフレーム（“unclean” subframes）」と呼ばれる。
【００５３】
少なくとも１つの「保護されたサブフレーム」は、期間毎に静的に割り付けられる。ある場合には、ただ１つの「保護されたサブフレーム」が静的に割り付けられる。例えば、期間が８ミリ秒である場合、１つの「保護されたサブフレーム」は、８ミリ秒毎の間、１つのｅＮＢに静的に割り付けられる。他のサブフレームは動的に配分される。
【００５４】
適応型リソース区分情報（Adaptive resource partitioning information (ARPI)）は、非静止的に割り付けられるサブフレームが動的に配置されることを許容する。保護されたサブフレーム、禁止されたサブフレーム、共通のサブフレームのいずれも、動的に配置されてよい（それぞれ、ＡＵ、ＡＮ、ＡＣサブフレーム）。動的な割り付けは、例えば、１００ミリ秒毎またはそれより少なく、すばやく変化する。
【００５５】
異種ネットワークは、異なる電力クラスのｅＮＢをもつ。例えば、３つの電力クラスは、電力が少なくなるクラスの順に、マクロｅＮＢ、ピコｅＮＢ、および、フェムトｅＮＢとして定義される。マクロｅＮＢ、ピコｅＮＢおよびフェムトｅＮＢが同一チャネル配置（co-channel deployment）にある場合、マクロｅＮＢ（アグレッサ（侵略者）ｅＮＢ）の電力スペクトル密度（power spectral density (PSD)）は、ピコｅＮＢやフェムトｅＮＢと多量の干渉を生じているピコｅＮＢやフェムトｅＮＢ（ビクティム（犠牲者）ｅＮＢ）のＰＳＤより大きい。「保護されたサブフレーム」は、ピコｅＮＢやフェムトｅＮＢとの干渉を低減する、または、最小にするために使われ得る。
【００５６】
図４は、本開示の１つの態様に従った異種ネットワークにおけるＴＤＭ分割を示すブロック図である。ブロックの１行目は、フェムトｅＮＢのためのサブフレーム割り付けを示し、ブロックの２行目は、マクロｅＮＢのためのサブフレーム割り付けを示す。ｅＮＢの各々は、その他のｅＮＢが静的な「禁止されたサブフレーム」をもつ間に、静的な「保護されたサブフレーム」をもつ。例えば、フェムトｅＮＢは、サブフレーム０における「禁止されたサブフレーム（Ｎサブフレーム）」に対応し、サブフレーム０において「保護されたサブフレーム（Ｕサブフレーム）」をもつ。同様に、マクロｅＮＢは、サブフレーム７における「禁止されたサブフレーム（Ｎサブフレーム）」に対応し、サブフレーム７において「保護されたサブフレーム（Ｕサブフレーム）」をもつ。サブフレーム１−６は、「保護されたサブフレーム（ＡＵ）」、「禁止されたサブフレーム（ＡＮ）］、および「共通サブフレーム（ＡＣ）」のいずれかとして、動的に割り付けられる。サブフレーム５と６において動的に割り付けられた「共通のサブフレーム（ＡＣ）」の間、フェムトｅＮＢとマクロｅＮＢの両方ともデータを送信できる。
【００５７】
「保護されたサブフレーム」（Ｕ／ＵＡサブフレーム等）は、アグレッサｅＮＢが送信を禁止されているので、低減された干渉と高いチャネル品質を有する。「禁止されたサブフレーム（Ｎ／ＡＮサブフレーム等）は、ビクティムｅＮＢが低い干渉レベルでデータを送信することを許容するために、データ送信がない。「共通のサブフレーム」（Ｃ／ＡＣサブフレーム等）は、データを送信する近くのｅＮＢの数に応じたチャネル品質を有する。例えば、近くのｅＮＢが「共通のサブフレーム」上でデータを送信している場合、「共通のサブフレーム」のチャネル品質は、「保護されたサブフレーム」より低い。また、アグレッサｅＮＢより強く影響を受ける、拡張された境界領域のＵＥ（extended boundary area (EBA) UE）にとって、「共通のサブフレーム」上のチャネル品質はより低くなる。ＥＢＡ ＵＥは、第１のｅＮＢに属してもよいが、第２のｅＮＢのカバー領域に配置されてもよい。例えば、フェムトｅＮＢカバー領域の限界近くにあるマクロｅＮＢと通信をするＵＥは、ＥＢＡ ＵＥである。
【００５８】
ＬＴＥ／−Ａで使用され得る干渉マネージメント方式の他の例は、「ゆっくりと適応する干渉マネージメント」（slowly-adaptive interference management）である。干渉マネージメントにこのアプローチを用いると、リソースは、スケジューリングのインターバルよりもずっと大きい時間の尺度で、ネゴシエーション（折衝）され、配置される。この方式の目標は、ネットワークのトータルの利用性（utility）を最大化するような、時間または周波数リソースの全てを通じた、送信を行うｅＮＢとＵＥとの全てに係る送信電力の組み合わせを見つけることである。「利用性」は、ユーザデータレート（user data rates）、サービスの品質（quality of service (QoS)）のフロー、および、公平性（fairness）の指数の関数として定義される。そのようなアルゴリズムは、最適化を解決するために用いられる全ての情報にアクセスできる集中型の構成体（central entity）によって処理されることができ、例えば、ネットワークコントローラ１３０（図１）のような送信する構成体の全てに対して制御を行う。この集中型の構成体は、常に実用的な訳ではなく、また望まれるものでさえない。従って、代わりの態様では、ある集合のノードからのチャネル情報に基づきリソース使用の決定をする分散型のアルゴリズムが用いられてもよい。従って、「ゆっくりと適応する干渉アルゴリズム」は、集中型の構成体を用いても、ネットワークにおける様々な集合のノード／構成体を通じてアルゴリズムを分散することによっても、いずれでも展開され得る。
【００５９】
ワイヤレスネットワーク１００のような異種ネットワークの展開において、ＵＥは、ＵＥが１またはそれより多くの干渉を引き起こすｅＮＢから高い干渉を観察し得る、顕著な干渉のシナリオの中で動作する。顕著な干渉のシナリオは、「制限された連携」により起こり得る。例えば、図１において、ＵＥ１２０ｙは、フェムトｅＮＢ１１０ｙの近くにあり、ｅＮＢ１１０ｙに係る高い受信電力をもつ。しかし、ＵＥ１２０ｙは、「制限された連携」によりフェムトｅＮＢ１１０ｙをアクセスすることはできず、より低い受信電力（図１には示されない）でマクロｅＮＢ１１０ｃ（図１に示されるように）またはフェムトｅＮＢ１１０ｚに接続される。ＵＥ１２０ｙは、下りリンク上でフェムトｅＮＢ１１０ｙから高い干渉を観察でき、また、上りリンク上でｅＮＢ１１０ｙに高い干渉を引き起こす。連携された干渉マネージメントを用いることで、ｅＮＢ１１０ｃとフェムトｅＮＢ１１０ｙは、リソースを折衝するためにバックホール１３４上を通信する。この折衝において、フェムトｅＮＢ１１０ｙは、チャネルリソースの１つの上での送信を中止することに同意し、結果、ＵＥ１２０ｙは、それが同じチャネル上でｅＮＢ１１０ｃと通信するのと同じくらいの大きさの、フェムトｅＮＢ１１０ｙからの干渉にあうことはない。
【００６０】
また、上記のような顕著な干渉のシナリオにおいてＵＥで観察される信号電力の差異に加え、ＵＥと複数のｅＮＢとの間の距離の違いから、下りリンク信号のタイミング遅延が、同期型システムでも観察される。同期型システムにおけるｅＮＢは、想定上、システムを通じて同期がとれている。しかし、例えば、マクロｅＮＢから５ｋｍの距離にあるＵＥを考えると、マクロｅＮＢから受信する下りリンク信号の伝播遅延は、約１６．６７μｓ（５ｋｍ÷３×１０８、即ち、光の速度 ‘ｃ’）の遅れである。マクロｅＮＢからの下りリンク信号を、ずっと近くのフェムトｅＮＢからの下りリンク信号と比較すると、タイミングの差は、ＴＴＬ（time-to-live (TTL)）エラーのレベルに迫る。
【００６１】
加えて、上記のようなタイミングの違いは、ＵＥでの干渉のキャンセル（消去）にインパクトを与える。干渉キャンセルは、しばしば、複数の態様（versions）の同じ信号の組み合わせの間での相互相関特性を用いる。同じ信号の複製の各々の上には干渉が存在する可能性があるが、それは同じ場所にはない可能性が高いから、同じ信号の複数の複製を組み合わせることにより、干渉はより簡単に識別できる。組み合わされた信号の相互相関を用いて、実際の信号部分が判断され、干渉から区別され、結果、干渉がキャンセルされることを可能にする。
【００６２】
１つの態様では、ＬＴＥにおける下りリンクリソースは、より小さな要素の時間と周波数とのリソースに区分される。例えば、時間の次元では、無線フレームは１０ｍｓの期間をもち、各々１ｍｓの期間の１０個のサブフレームに分割される。更に、各サブフレームは、２つの０．５ｍｓのスロットに分割される。通常の巡回プレフィックス長の場合において、各スロットは７個のＯＦＤＭシンボルをもつ。周波数の次元では、リソースブロック（Resource Block (RB)）は、各々が１５ｋＨｚのサブキャリア帯域幅をもつ１２個のサブキャリアの集合である。また、サブキャリアは、トーン（tone）と表されることもある。リソースエレメント（Resource Element (RE)）は、ＬＴＥにおける最も小さなリソース単位で、１つのサブキャリアと１つのＯＦＤＭシンボルからなる。
【００６３】
他の態様では、あるリソースブロックが、同期信号、基準信号、制御信号、および、同報システム情報のような特別の信号用に供される。ＬＴＥでは、３段階の同期手順：  シンボルタイミングの獲得、キャリア周波数同期化、および、サンプリングクロック同期化、  が起こる。一例では、ＬＴＥは、各セルのために２つの専用の同期信号：  時間と周波数の同期化のため、および、セル識別（cell identification）、巡回プレフィックス長、２重化方法（duplex method）等のようなシステムパラメータの同報のため、に用いられるプライマリ同期信号（Primary Synchronization Signal (PSS)）とセカンダリ同期信号（Secondary Synchronization Signal (SSS)）、  に依存する。一般的に、ＰＳＳが最初に、ＵＥによって検出され、ＳＳＳの検出に続く。
【００６４】
１つの形態において、ＰＳＳは、constant amplitude chirp-likeデジタル系列の１つであるZadoff-Chu系列に基づく。一般に、ＵＥによって利用可能なア・プリオリ（a priori：自明の）チャネル情報がないと推定されるから、ＰＳＳは、ＵＥによって、非干渉的（non-coherently）に検出（即ち、位相情報なしでの検出）される。他の態様において、ＳＳＳは、最大長系列（maximal length sequence：また、Ｍ系列として知られる）に基づく。ＳＳＳの検出はＰＳＳ検出の後に実行されるので、ＰＳＳ検出の後、チャネル状態情報（channel state information (CSI)）がＵＥに利用可能であるならば、ＳＳＳの干渉的（coherent）検出（即ち、位相情報を用いる検出）が利用可能である。しかし、あるシナリオでは、例えば、近くのｅＮｏｄｅＢからのコヒーレント（振幅または位相に一定の関係がある）干渉がある場合に、ＳＳＳのノンコヒーレント検出が望まれる。
【００６５】
他の態様において、ＰＳＳとＳＳＳの検出が完了した後、新しいセルの識別の場合として、ＵＥは、ＬＴＥ下りリンクからある基準信号（Reference Signals (RS)）を獲得し、トラッキング（追従）する。一例として、ＬＴＥ下りリンクは、以下のような３種類の特別なＲＳを含む。
【００６６】
・セル固有ＲＳ：あるセルの中の全てのＵＥへの同報、
・ＵＥ固有ＲＳ：あるＵＥ（または複数の）のためのみを目的とする、または
・ＭＢＳＦＮ固有ＲＳ：マルチメディア放送・１周波数ネットワーク（Multimedia Broadcast Single Frequency Network (MBSFN)）の動作のためのみを目的とする。
【００６７】
１つの態様では、ＬＴＥ下りリンクは、ＯＦＤＭの時間−周波数格子（OFDM time-frequency lattice）の中のある位置にＲＳを置く。図３は、通常の巡回プレフィックス（cyclic prefix (CP)）長をもつセル固有基準信号（cell-specific Reference Signal (RS)）の配置の例を示す。図示のように、ＲＳシンボルは、予期されるチャネルコヒーレンスの帯域幅と最大のドップラ広がりのそれぞれに従って、時間次元と周波数次元で互い違いに置かれることが示される。
【００６８】
他の態様では、各ＲＳは、良好な相互相関特性のために、長さ３１のゴールド系列（length-31 Gold sequence）を用いる４相位相変調（quaternary phase shift keyed (QPSK)）から構成される。また、近隣のセルからの干渉を軽減するために、セル固有ＲＳは、セル識別情報フィールド、および、セル固有の周波数シフトをもつ。
【００６９】
図５は、図１における基地局／ｅＮＢの１つとＵＥの１つであってもよい、基地局／ｅＮＢ１１０とＵＥ１２０の設計例のブロック図を示す。制限された連携のシナリオに係り、基地局１１０は図１のマクロｅＮＢ１１０ｃであってよく、ＵＥ１２０はＵＥ１２０ｙであってよい。また、基地局１１０は、いくつかの他の形式の基地局であってもよい。基地局１１０は、アンテナ５３４ａから５３４ｔまでを備えられており、ＵＥ１２０はアンテナ５５２ａから５５２までを備えている。
【００７０】
基地局１１０で、送信プロセッサ５２０は、データ源５１２からデータを、コントローラ／プロセッサ５４０から制御情報を受ける。制御情報は、ＰＢＣＨ、ＰＣＦＩＣＨ，ＰＨＩＣＨ、ＰＤＣＣＨ、等のためのものである。データは、ＰＤＳＣＨ等のためのものである。プロセッサ５２０は、データシンボルと制御シンボルのそれぞれを得るために、データと制御情報とを処理する（例えば、エンコードやシンボルマッピング）。また、プロセッサ５２０は、例えば、ＰＳＳ、ＳＳＳ、および、セル固有基準信号に係る、基準シンボルを生成する。送信（transmit (TX)）用の多入力・多出力（multiple-input multiple-output (MIMO)）プロセッサ５３０は、適用可能であれば、データシンボル、制御シンボル、および／または、基準シンボル上で空間処理（例えば、プリコーディング）を行い、変調器（modulators (MODs)）５３２ａから５３２ｔに、出力シンボルストリームを与える。各変調器４３２は、出力サンプルストリームを得るために、祖出力シンボルストリーム（例えば、ＯＦＤＭ用、等）のそれぞれを処理する。各変調器５３２は、更に、下りリンク信号を得るために、出力サンプルストリームを処理（例えば、アナログへの変換、増幅、フィルタリング、および、アップコンバート）を行う。変調器５３２ａから５３２ｔからの下りリンク信号は、それぞれ、アンテナ５３４ａから５３４ｔを介して送信される。
【００７１】
ＵＥ１２０で、アンテナ５５２ａから５５２ｒは基地局１１０から下りリンク信号を受信し、復調器（demodulators (DEMODs)）のそれぞれに、受信された信号を与える。各復調器５５４は、入力サンプルを得るために、受信された信号それぞれを調整（condition）（例えば、フィルタリング、増幅、ダウンコンバート、および、デジタル化）する。各復調器５５４は、更に、受信シンボルを得るために、入力サンプル（例えば、ＯＦＤＭ用、等）を処理する。ＭＩＭＯ検出器５５６は、全復調器５５４ａから５５４ｒから受信されたシンボルを得て、適用可能であれば、受信されたシンボル上でＭＩＭＯ検出を行い、検出されたシンボルを出す。受信プロセッサ５５８は、検出されたシンボルを処理（例えば、復調、逆インターリーブ、および、デコード）し、ＵＥ１２０宛てのデコードされたデータをデータシンク５６０に与え、デコードされた制御情報をコントローラ／プロセッサ５８０に与える。
【００７２】
上りリンク上、ＵＥ１２０で、送信プロセッサ５６４は、データ源５６２からのデータ（例えば、ＰＵＳＣＨ用）とコントローラ／プロセッサ５８０からの制御情報（例えば、ＰＵＣＣＨ用）を受け、処理する。また、プロセッサ５６４は、基準信号のための基準シンボルを出力する。送信プロセッサ５６４からのシンボルは、適用可能であれば、ＴＸ ＭＩＭＯプロセッサ５６６によってプリコーディングされ、更に、復調器部５５４ａから５５４ｒによって処理され（例えば、ＳＣ−ＦＤＭ用に、等）、基地局１１０に送信される。基地局１１０では、ＵＥ１２０により送られ、デコードされたデータと制御情報を得るために、ＵＥ１２０からの上りリンク信号は、アンテナ５３４により受信され、変調器部５３２により処理され、適用可能であれば、ＭＩＭＯ検出器により検出され、更に、受信プロセッサ５３８によって処理される。プロセッサ５３８は、データシンク５３９にデコードされたデータを、コントローラ／プロセッサ５４０にデコードされた制御情報を与える。
【００７３】
コントローラ／プロセッサ５４０と５８０は、基地局１１０とＵＥ１２０での動作を指示する。基地局１１０でのプロセッサ５４０および／または他のプロセッサやモジュールは、この中に記載される技術のための様々な処理の実行を行うか、指示する。ＵＥ１２０でのプロセッサ５８０および／または他のプロセッサやモジュールは、図４と５に示される機能ブロックの実行を行うか、指示する。メモリ５４２と５８２は、基地局１１０やＵＥ１２０それぞれのためのデータとプログラムコードを記憶する。スケジューラ５４４は、下りリンクおよび／または上りリンク上のデータ送信のためにＵＥをスケジューリングする。
【００７４】
１つの構成例では、ワイヤレス通信用に構成されたＵＥ１２０は、
ｅＮｏｄｅＢから基準信号を獲得するための手段と、
獲得された基準信号から「タイミング基準（timing reference）」を得るための手段と、
「バックオフ（ランダム待機）タイミング基準（backed-off timing reference）」を生成するために、前記「タイミング基準」にバックオフ（backed-off）を加えるための手段と、
サービスを提供するｅＮｏｄｅＢのための「タイミング基準」として、「バックオフされたタイミング基準」を用いるための手段と、
を有する。
【００７５】
また、ＵＥ１２０は、
獲得した基準信号から「周波数基準」を得るための手段と、
「周波数基準」を用いるｅＮｏｄｅＢ間での「周波数オフセットの違い」を予測するための手段と、
サービスを提供するｅＮｏｄｅＢにおいてえる「周波数オフセットの違い」を補償するための手段と、
をもつ。
【００７６】
また、ＵＥ１２０は、第１の基準信号から電力遅延プロファイル（power delay profile (PDP)）をつくるための手段と、他のＰＤＰから合成ＰＤＰをつくるための手段と、復号ＰＤＰから、合成された信号に係るタイミング基準を生成するための手段と、
をもつ。
【００７７】
また、ＵＥ１２０は、
１つまたはそれより多くの基準信号を、受信される信号から取り出すための手段と、
受信される信号から１またはそれより多くの基準信号を引き出すための手段と、
１またはそれより多くの基準信号を使って、合成周波数誤差（composite frequency error）を予測するための手段と、
合成周波数誤差に基づき周波数トラッキングループを可能にするための手段と、複数の周波数オフセットを予測するための手段と、
合成周波数誤差と１つまたは複数の周波数オフセットとを用いて、残留周波数誤差（residual frequency error）を補償するための手段と、
を備える。
【００７８】
１つの態様では、前述の手段は、当該手段によって説明された機能を実行するよう構成された、プロセッサ、コントローラ／プロセッサ５５８、メモリ５８２、受信プロセッサ５５８、ＭＩＭＯ検出器５５６、送信プロセッサ５６４、ＴＸ ＭＩＭＯプロセッサ５６６、復調器５５４ａ、および、アンテナ５５２ａ、であってよい。他の態様では、前述の手段は、当該手段によって説明された機能を実行するよう構成された、モジュールまたは任意の装置であってもよい。
【００７９】
当技術分野における技量をもつ者は、情報や信号が様々な異なる技術や技法のうちの何らかのものを使って表されることを理解する。例えば、前の記載を通じて参照される、データ（data）、命令（instructions）、コマンド（commands）、情報（information）、信号（signals）、ビット（bits）、シンボル（symbols）、および、チップ（chips）は、電圧、電流、電磁波、磁場または磁粒子、光の場または光粒子、または、これらの任意の組み合わせにより表される。
【００８０】
ある状況において、ＵＥは、最も高い信号強度をもつｅＮｏｄｅＢ（即ち、最も強いｅＮｏｄｅＢ）よりも弱い信号強度をもつｅＮｏｄｅＢ（即ち、より弱いｅＮｏｄｅＢ）への接続を望む。一つの例では、その信号強度が「最も強いｅＮｏｄｅＢ」より低い場合でも、より小さな経路損失（path loss）をもつ「より弱いｅＮｏｄｅＢ」にＵＥを結合することが有益である。他の例では、「最も強いｅＮｏｄｅＢ」は、限定されたＵＥの集合にのみ接続可能であるセルを含む閉じた加入者グループ（closed subscriber group (CSG)）の一部であり得る。これらのシナリオにおいて、「より弱いｅＮｏｄｅＢ」のパイロット／ＲＳトーン（pilot/RS tones）は、強い干渉者のＲＳトーンまたはデータトーンと衝突する可能性がある。特に、サービスを提供するｅＮｏｄｅＢのＲＳトーンまたは他の信号や特性に依存する従来のタイムトラッキングループ（time tracking loop (TTL)）または周波数トラッキングループ（frequency tracking loop (FTL)）は、過酷な干渉の場合に正常に機能しない可能性がある。
【００８１】
ＬＴＥのようなＯＦＤＭＡワイヤレスシステムにおいてこれらの問題に取り組むため、様々な解決策が提示される。
【００８２】
ＵＥが、サービスを提供する「より弱いｅＮｏｄｅＢ」のタイミング基準をトラッキングしようと試みる場合、トラッキングは信頼性がないか、または、失敗の可能性もある。トラッキングが信頼できるように実行されている場合でも、トラッキングを通して得られるタイミング基準は、ＵＥのために望まれるタイミング基準ではない可能性がある。これは、サービスを提供するｅＮｏｄｅＢの基準信号から得られるタイミング基準が、サービスを提供するｅＮｏｄｅＢのチャネルの推定やデコードのためには機能するけれど、サービスを提供するｅＮｏｄｅＢのタイミング基準が、必ずしも、干渉をキャンセルする目的ために望むべきものではないからである。代わりに、ＵＥが「サービスを提供しない／干渉を与える、より強いｅＮｏｄｅＢ」をトラッキングする場合、干渉する信号をキャンセルする能力は、干渉している信号電力のトラッキングによって、向上する。上記の方法により得られるタイミングは「サービスを提供するｅＮｏｄｅＢ」のタイミングから外れる可能性があるが、「サービスを提供していないｅＮｏｄｅＢ」のタイミングから推定された「サービスを提供するｅＮｏｄｅＢ」のタイミングを用いることで、「向上したキャンセル能力」は、「向上した全体の信号品質」と言いかえることができる。
【００８３】
第１の例では、ＵＥは、「干渉を引き起こす者」のタイミングのトラッキングを行う。当該タイミングは、サービスを提供するｅＮｏｄｅＢチャネルを推定するために、ＵＥによって用いられる。異なるｅＮｏｄｅＢからの下りリンク信号の到達時間または優勢な経路は、お互いに近い可能性がある。このような状況で、「サービスを提供しない／干渉を与える、より強いｅＮｏｄｅＢ」のタイミング基準は、所望されるが、より弱い、サービス提供のｅＮｏｄｅＢのタイミング基準にほぼ（roughly）揃う。このシナリオでは、サービスを提供するｅＮｏｄｅＢと干渉を与えるｅＮｏｄｅＢのタイミングがほぼ同時である場合、ＵＥは、サービスを提供するｅＮｏｄｅＢのためのタイミング基準として、「サービスを提供しない／干渉を与える、より強いｅＮｏｄｅＢ」のタイミングをトラッキングし、使用することができる。１つの態様において、タイミング基準は、フレーム同期（frame synchronization）、タイミングメーカ（timing marker）、擬似ノイズコード（pseudonoise (PN) code）、等から得られる。
【００８４】
同期型ネットワークの場合でさえも、伝搬遅延の差（propagation delay differences）により、サービスを提供するｅＮｏｄｅＢのタイミング基準は、干渉を与えるｅＮｏｄｅＢのタイミング基準とは異なることもあり得る。例えば、ある状況下で、「サービスを提供しているｅＮｏｄｅＢ」のタイミングは、「干渉を与えるｅＮｏｄｅＢ」のタイミングよりも早く、「干渉を与えるｅＮｏｄｅＢのタイミング基準」のトラッキングが、「サービスを提供するｅＮｏｄｅＢ」から到達する初期のチャネルタップの喪失という結果になり、従って、性能の低下につながる可能性がある。１つの解決策は、バックオフされた（backed-off）「干渉者のタイミング基準」を得て、この「バックオフされた干渉者のタイミング基準」を「サービスを提供するセル」のためのタイミング基準として使うために、「干渉を与えるｅＮｏｄｅＢ」の検出されたタイミング基準にバックオフ（backoff）を加えることである。バックオフについてのより詳細な説明は、２００９年１１月１９日にＹｏｏ他の名前で出願された米国仮特許出願 Ｎｏ．６１／２６２，９１１にみられ、その開示は、全体が、参照によってこの中に明示的に組み込まれる。ある他の状況においては、「サービスを提供するｅＮｏｄｅＢ」のタイミングは、「干渉を与えるｅＮｏｄｅＢ」のタイミングより遅れる可能性があり、その場合、「サービス提供ｅＮｏｄｅＢ」の遅れてくるチャネルタップをつかまえるために、チャネルタップ切り捨て用の窓（channel tap truncation window）が延長される。
【００８５】
図６は、干渉を与えるｅＮｏｄｅＢから基準信号を獲得し、使うための第１の例のフロー図を示す。ブロック６１０において、干渉を与えており、可能性として強い基地局（例えば、ＬＴＥネットワークにおける進化型ノードＢ（evolved NodeB (eNodeB)）から、基準信号が獲得される。次に、ブロック６２０で示されるように、タイミング基準が基準信号から得られる。次に、ブロック６３０で示されるように、サービスを提供する基地局との通信に際し、このタイミング基準が用いられる。
【００８６】
第２の例では、ＵＥは、干渉を与えるものの周波数のトラッキングを行う。近くにあるｅＮｏｄｅＢ間の周波数のオフセット（差異）が小さいワイヤレスシステムにおいて、ＵＥは、サービスを提供するｅＮｏｄｅＢのキャリア周波数をトラッキング（追従）するよりもむしろ、より強い信号強度をもつｅＮｏｄｅＢのような「干渉を与えるｅＮｏｄｅＢ」のキャリア周波数をトラッキングする。一例において、ＵＥは、サービスを提供するｅＮｏｄｅＢのチャネルを推定する際、「干渉を与えるｅＮｏｄｅＢ」と「サービスを提供するｅＮｏｄｅＢ」のキャリア周波数の間に存在し得る想定の周波数オフセットを補償しない。他の例においては、ＵＥは、「サービスを提供するｅＮｏｄｅＢ」と「干渉を与えるｅＮｏｄｅＢ」との間の周波数オフセットの差を推定してもよい。その場合、ＵＥは、サービスを提供するｅＮｏｄｅＢからの信号を処理する際、干渉を与えるｅＮｏｄｅＢの周波数を使う前に、この周波数オフセット差を補償する。
【００８７】
図７は、干渉を与える基地局（例えば、ＬＴＥネットワークにおけるｅＮｏｄｅＢ）から基準信号を獲得し、使うための第２の例のフロー図を示す。ブロック７１０において、干渉を与える強い基地局から第１の基準信号が得られる。次に、ブロック７２０に示されるように、第１の基準信号から第１の周波数基準が得られる。次に、ブロック７３０に示されるように、周波数基準は、サービスを提供する基地局との通信のために使われる。
【００８８】
第３の例では、ＵＥは、合成型のタイミングトラッキングを行う。ＵＥは、合成型のタイミングトラッキングを提供するために、サービスを提供する所望のｅＮｏｄｅＢから、および、干渉を与えるｅＮｏｄｅＢからの基準信号を含む、受信されるｅＮｏｄｅＢ基準信号（eNodeB reference signals (RSs)）の「組み合されたタイミング基準」をトラッキングする。例えば、ＵＥは、まず、最も強い「干渉を与えるｅＮｏｄｅＢ」からの基準信号を検出し、その測定から電力遅延プロファイル（power delay profile (PDP)）をつくる。ＰＤＰは、共通基準信号（common reference signal (CRS)）のトーンに基づく。ＰＤＰは、チャネルタップの位置と強さを表す。
【００８９】
干渉を与える１つのｅＮｏｄｅＢがある場合、ＵＥは、サービスを提供するｅＮｏｄｅＢの基準信号を得るために、干渉を与えるｅＮｏｄｅＢからの基準信号をキャンセルし（消し去り）、サービスを提供するｅＮｏｄｅＢのためにＰＤＰをつくることができる。干渉を与える複数のｅＮｏｄｅＢの場合のように、適用可能であれば、ＵＥは、干渉を与える他のｅＮｏｄｅＢから異なる基準信号を得るために、干渉を与える「最も強いｅＮｏｄｅＢ」からの基準信号（および他の信号）をキャンセルすることができる。その場合、ＵＥは、その測定から電力遅延プロファイル（ＰＤＰ）をつくる。この手順は、検出される全てのｅＮｏｄｅＢ（サービスを提供するｅＮｏｄｅＢを含む）のＰＤＰをＵＥが得るまで繰り返す。
【００９０】
最後に、合成ＰＤＰを生成するために、複数のＰＤＰが組み合わされ、重みづけされる。ＰＤＰは、以下のような式を用いて合成されてもよい。
【００９１】
Ｘｃｏｍｐｏｓｉｔｅ［ｋ］＝ｘ１［ｋ］ｗ１＋ｘ２［ｋ］ｗ２
ここで、ｘ１はセル１のＰＤＰ、ｘ２はセル２のＰＤＰ、ｗ１はセル１のＰＤＰのための重み調整、ｗ２はセル２のＰＤＰのための重み調整、および、ｋはチャネルタップ指数（channel tap index）である。更に、ｘｎｗｎの組が、干渉を与える複数のｅＮｏｄｅＢのために加えられてもよい。続いて、この合成ＰＤＰは、ＵＥにタイミングを与えるために用いられる。
【００９２】
図８Ａは、例示の干渉を与えるｅＮｏｄｅＢ−１に係る例示のＰＤＰのグラフを示す。信号強度がＹ軸に示され、タップ遅延がＸ軸に表される。ＰＤＰグラフは、どのチャネルタップがより高い信号強度をもつかを示す。ＰＤＰグラフの重心が、タイミング基準として用いられる。このタイミングは、例えば、サービスを提供するｅＮｏｄｅＢのチャネルを推定するために使われる。
【００９３】
タイミングのために合成ＰＤＰを用いることは、いくつかの利益を与える。第一に、合成ＰＤＰの使用は、ＵＥがタイミングのためにサービスを提供する弱いｅＮｏｄｅＢのみに依存するようなシナリオ上で、ＵＥがそのタイミング信号を失うという可能性を減らす。ＵＥが、サービスを提供する弱いｅＮｏｄｅＢにのみ依存する場合、サービスを提供するｅＮｏｄｅＢの弱い信号強度により、ＵＥがそのタイミングを失う可能性がある。第２に、合成ＰＤＰの重心が、干渉を与える「強いセル」単独のＰＤＰに比較して、サービスを提供するｅＮｏｄｅＢのＰＤＰの重心により近くになるので、合成ＰＤＰの使用は、タイミングのための、ＵＥの「干渉を与えるｅＮｏｄｅＢ」への依存を減らす。例えば、図８Ｂは、例示のサービス提供ｅＮｏｄｅＢ−２に係る例示のＰＤＰのグラフを示す。図８Ｃは、干渉を与える例示のｅＮｏｄｅＢ−１とサービスを提供する例示のｅＮｏｄｅＢ−２の合成ＰＤＰを示す、合成ＰＤＰグラフの例（変倍なし）を示す。図８Ｃのグラフの重心は、図８Ａのグラフが単独で用いられる場合よりも、図８Ｂのグラフの重心に近い。
【００９４】
一例では、全てのＰＤＰの結合は、各ＰＤＰの大きさが、各ｅＮｏｄｅＢからのＣＲＳトーン上で受信される電力に比例するので、より強いｅＮｏｄｅＢに向かってより高くなる自然な重みを与える、等重み結合（equal weight combining）を用いて行われてもよい。他の例では、全てのＰＤＰの結合は、例えば、サービスを提供する弱いｅＮｏｄｅＢのチャネルタップがつかまえられ、タイミングトラッキングに反映されることを保証するために、サービスを提供するｅＮｏｄｅＢのＰＤＰを押し上げるような、不等重み結合（unequal weight combining）を用いて行われてもよい。不等重み結合は、等重み結合よりも良好な結果を与え得る。
【００９５】
不等の重みづけの結合の１つの例は、サービスを提供するｅＮｏｄｅＢのＰＤＰにより高い重みを与えることを含む。これは、サービスを提供するｅＮｏｄｅＢのＰＤＰの値を押し上げる決められた重みを適用することによりなされる。また、この重みは、受信される信号の測定に基づき決められてもよい。例えば、ＣＲＳトーンは各セルから送信されること、および、データトーンは各セルにより送信されても、送信されなくてもよいことに注意し、また、ＰＤＰはデータトーンの存在または不在をとらえることに失敗することに注意すると、重みは、各セルからのデータトーン送信の存在または不在を考慮するために、非ＣＲＳ（non-CRS）トーンに基づいてもよい。このアプローチに沿うと、重みは、サービスを提供するｅＮｏｄｅＢの非ＣＲＳトーン上にみられる干渉のレベルに基づいてもよい。サービスを提供しない複数のｅＮｏｄｅＢからの受信される電力の総計が得られる。非ＣＲＳトーン上の総計の干渉レベルが高い場合、他の干渉者が積極的に送信を行っており、サービスを提供するｅＮｏｄｅＢの信号は、総計の干渉が低い場合と同程度には押し上げられない。非ＣＲＳトーン上の総計の干渉が低いとき、干渉を与えるｅＮｏｄｅＢのいくつかはデータを送信しておらず、サービスを提供するｅＮｏｄｅＢの重みはより押し上げられる。このアプローチは、データを送信していないｅＮｏｄｅＢの上を非ＣＲＳトーンを用いてデータを送信するｅＮｏｄｅＢ（サービスを提供するｅＮｏｄｅＢ、等）に、より高い重みを与えるために用いられる。
【００９６】
不等の重みづけの結合は、サービスを提供するｅＮｏｄｅＢを用いて区分されたｅＮｏｄｅＢはより低い重みが与えられるように、ＵＥの「ＴＤＭの区分化」の認知（図４に関して上で説明したように）を利用することを含む。サービスを提供するｅＮｏｄｅＢと、サービスを提供するｅＮｏｄｅＢを用いて区分されない、または、当該ｅＮｏｄｅＢと同じ区分に属す他のｅＮｏｄｅＢは、より高い重みが与えられる。このアプローチは、ＡＲＰＩを含む、上述の方式（schemes）のようなＴＤＭ方式とともに用いられ得る。例えば、あるｅＮｏｄｅＢは、サービスを提供するｅＮｏｄｅＢ送信をするサブフレームの期間に送信していないことを、ＵＥが知っているならば、それらｅＮｏｄｅＢからの信号は、より低い重みが与えられてよい。サービスを提供するｅＮｏｄｅＢが送信するサブフレームの期間に送信を行うｅＮｏｄｅＢに」対しては、より高い重みが使われてよい。
【００９７】
図９は、２つの基地局（ＬＴＥネットワークにおけるｅＮｏｄｅＢ、等）からの基準信号を獲得し、使用するための第３の例のフロー図を示す。ブロック９１０で、第１の基地局からの第１の基準信号が獲得される。次に、ブロック９２０に示されるように、第１の基準信号からの第１の電力遅延プロファイル（ＰＤＰ）がつくられる。次に、ブロック９３０に示されるように、第２の基地局からの第２の基準信号が獲得される。次に、ブロック９４０に示されるように、第２の基準信号からの第２の電力遅延プロファイル（ＰＤＰ）がつくられる。ブロック９５０において、合成された電力遅延プロファイル（ＰＤＰ）が、先につくられた電力遅延プロファイルから構築される。１つの例では、等しく重みづけされた結合が用いられる。他の例では、不等の重みづけ結合が用いられる。ブロック９６０において、合成された電力遅延プロファイル（ＰＤＰ）が結合された信号に係る「タイミング基準」を生成するために用いられる。
【００９８】
第４の例において、ＵＥは、「サービスを提供するｅＮｏｄｅＢ」と「干渉を与えるｅＮｏｄｅＢ」を含むｅＮｏｄｅＢ群からの信号のキャリア周波数をトラッキングする。この第４の例は、「合成された周波数トラッキング」を示している。例えば、ＵＥは、まず、最も強い「干渉を与えるｅＮｏｄｅＢ」からの基準信号を検出する。適用可能ならば、もうひとつの「干渉を与えるｅＮｏｄｅＢ」から異なる基準信号を得るために、最も強い「干渉を与えるｅＮｏｄｅＢ」からの基準信号（または、他の信号）をキャンセルする。この手順は、ＵＥが、検出されるｅＮｏｄｅＢの全て（サービスを提供するｅＮｏｄｅＢを含む）のＲＳを得るまで繰り返す。最後に、ＵＥは、合成周波数誤差（composite frequency error）を推定するために、得られたＲＳの全てを用いる。例えば、強い「干渉を与えるｅＮｏｄｅＢ」が（２ＧＨｚ＋２０Ｈｚ）の信号をもち、弱い「干渉を与えるｅＮｏｄｅＢ」が（２ＧＨｚ＋１０Ｈｚ）の信号をもつ場合、干渉者の強さにより、合成された周波数は（２ＧＨｚ＋１９Ｈｚ）となり得る。ＵＥがこの合成周波数をトラッキングしているならば、位相回転（phase rotation）を適用することによる「サービス提供ｅＮｏｄｅＢ」のチャネルの推定のために、ＵＥは、後で、合成周波数とサービス提供周波数との間の９Ｈｚの差を補償する。
【００９９】
１つの態様において、強い「干渉を与えるｅＮｏｄｅＢ」のＲＳの存在により、ＵＥは、周波数同期を」失わない。また、他のｅＮｏｄｅＢのＲＳの存在により、周波数オフセットの推定は、フェムトセルの突然の電源断のようなネットワークの変化に対し、頑強かつ安定になる。１つの例では、ＲＳは、より強いｅＮｏｄｅＢに向かってより高くなる重みを与える、等重み結合（equal weight combining）を用いて結合されてもよい。他の例では、ＲＳは、不等重み結合（unequal weight combining）を用いて結合されてもよい。また、プライマリ同期信号（Primary Synchronization Signal (PSS)）やセカンダリ同期信号（Secondary Synchronization Signal (SSS)）のようなＬＴＥにおける他の同期信号などのＲＳ以外の信号は、ＲＳと共に使われ、または、組み合されてもよい。１つの態様では、推定された合成周波数の誤差（estimated composite frequency error）、ＵＥにおける周波数トラッキングループ（frequency tracking loop）を可動にする。加えて、ＵＥは、個々のｅＮｏｄｅＢ（サービスを提供するｅＮｏｄｅＢを含む）の周波数オフセット（ずれ）を推定することができる。例えば、各ｅＮｏｄｅＢに係る周波数オフセットは、改善された復調やデコードのため、各ｅＮｏｄｅＢからの残留周波数誤差の影響を補償するために使われ得るが、合成ＲＳから推定された合成周波数誤差は周波数トラッキングループを可動にする。
【０１００】
図１０は、基準信号を獲得し、トラッキングするための第４の例のフロー図を示す。ブロック１０１０において、基準信号は、受信される信号から取り出される。この基準信号は、検出される複数の基地局の中の干渉を与える「最も強い基地局」（ＬＴＥネットワークにおけるｅＮｏｄｅＢ）に係るものである。次に、ブロック１０２０に示されるように、基準信号が受信信号から引き去られる。ブロック１０３０において、受信される信号から他の基準信号が取り出される。この基準信号は検出される基地局に係るものである。１つの態様では、「基準信号」と受信される信号から取り出される「基準信号のグループ」とは、後の使用のためにメモリに格納される。次に、ブロック１０４０で示されるように、前記基準信号が、受信される信号から引き去られる。次に、ブロック１０５０に示されるように、合成周波数誤差が、受信信号から既に取り出されている「基準信号」と「基準信号のグループ」とを用いて推定される。ブロック１０６０において、合成周波数誤差に基づく周波数トラッキングループが可動にされる。ブロック１０７０において、検出された基地局に関連する周波数オフセットが推定される。ブロック１０８０において、検出された基地局の１つの残留周波数誤差（residual frequency error）が、「合成周波数誤差」と「検出された基地局に係る周波数オフセットの１つ」とを用いて補償される。１つの態様において、ブロック１０８０における方法は、検出された複数の基地局と複数の周波数オフセットについて繰り返される。
【０１０１】
技量をもつ者は、この中の開示に関連して説明された様々な例示の論理ブロック、モジュール、回路、および、アルゴリズムの手順は、電子的なハードウェア、コンピュータソフトウェア」、または、その組み合わせとして実施され得ることを理解する。このハードウェアとソフトウェアの置換可能性を明瞭に示すために、様々な例示のコンポーネント、ブロック、モジュール、回路、および、手順は、一般的に、それらの機能の観点から、上に記載されている。そのような機能がハードウェアとして、または、ソフトウェアとして実施されるかどうかは、特定の応用形態や全体のシステムに課せられる設計上の制約に依存する。技量をもつ当業者は、特定の応用形態の各々について、様々な方法で記載された機能を実施し得るが、そのような実施方法の決定は、本開示の範囲からの逸脱の原因となるように解釈されない。
【０１０２】
この中の開示に関連して記載される種々の例示の論理ブロック、モジュール、および、回路は、この中に記載される機能を実行するために設計された、汎用プロセッサ、デジタル信号プロセッサ（ＤＳＰ）、特定用途向け集積回路（ＡＳＩＣ）、フィールドプログラマブルゲートアレイ（field programmable gate array (FPGA)）、または、他のプログラム可能な論理デバイス、個別ゲートまたはトランジスタロジック、個別ハードウェアコンポーネント、または、それらの任意の組み合わせを用いて実施または実行され得る。汎用プロセッサは、マイクロプロセッサであってよいが、代わりに、当該プロセッサは、従来のプロセッサ、コントローラ、マイクロコントローラ、または、ステートマシンであってよい。また、プロセッサは、例えば、ＤＳＰとマイクロプロセッサの組み合わせ、複数のマイクロプロセッサ、ＤＳＰコアと結ばれた１またはそれより多くのマイクロプロセッサ、または、そのような任意の他の構成として実施されてもよい。
【０１０３】
この中の記載に関連して記載された方法またはアルゴリズムの手順（ステップ）は、ハードウェアの中、プロセッサによって実行されるソフトウェアモジュールの中、または、前２者の組み合わせの中に、直接に設けられ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または、当技術分野で知られている何らかの他の形態の記憶媒体の中に存在できる。例示の記憶媒体は、プロセッサがその記憶媒体から情報を読み、そこに情報を書くことができるように、プロセッサにつなげられる。代わりに、記憶媒体は、プロセッサに一体化されてもよい。プロセッサと記憶媒体は、ＡＳＩＣの中に存在してもよい。ＡＳＩＣは、ユーザ端末の中に存在できる。代わりに、プロセッサと記憶媒体は、ユーザ端末の中で、個別コンポーネントとして存在してもよい。
【０１０４】
１つまたはそれより多くの設計例において、記載される機能は、ハードウェア、ソフトウェア、ファームウェア、または、それらの任意の組み合わせの中で実施され得る。ソフトウェアの中で実施される場合、機能は、コンピュータ読み出し可能媒体上の１またはそれより多くの命令またはコードとして、記憶され、または、転送されることができる。コンピュータ読み出し可能媒体は、１つの場所から他の場所にコンピュータプログラムを移すことを容易にするいかなる媒体をも含む、コンピュータ記憶媒体との通信媒体の両方を含む。記憶媒体は、汎用または特定用途向けのコンピュータによってアクセスされ得る、利用可能ないかなる媒体であってもよい。例示としてであり、限定ではないが、そのようなコンピュータ読み出し可能媒体は、命令やデータ構造体の形の所望のプログラムコード手段を運んだり、または、記憶するために使われることができ、汎用または特定用途向けコンピュータ、または、汎用または特定用途向けプロセッサによってアクセスされることができる、ＲＡＭ、ＲＯＭ、ＥＥＰＲＯＭ、ＣＤ−ＲＯＭまたは他の光ディスク媒体、磁気ディスクまたは他の磁気記憶デバイス、または、何らかの他の媒体を構成することができる。また、任意の接続（connection）も、正しく、コンピュータ読み出し可能媒体と呼ばれる。例えば、ソフトウェアが、同軸カーブル、光ファイバケーブル、撚り線、デジタル加入者線（digital subscriber line (DSL)）、または、赤外線、無線、および、マイクロ波のような無線技術を用いて、ウェブサイト、サーバ、または、他の遠隔のソースから転送される場合、当該同軸ケーブル、光ファイバケーブル、撚り線、ＤＳＬ、または、無線技術は、媒体の定義に含まれる。ディスク（diskおよびdisc：”disk”は、通常、磁気的にデータを再生し、一方、”disc”はレーザを用いて光学的にデータを再生する）は、この中で用いられる場合、コンパクトディスク（ＣＤ）、レーザディスク、光ディスク、デジタルバーサタイルディスク（digital versatile disc (DVD)）、フロッピー（登録商標）ディスク、および、ブルーレイディスク（blu-ray disc）を含む。また、上記の組み合わせも、コンピュータ読み出し可能媒体の範囲の中に含まれる。
【０１０５】
本開示の先の説明は、当技術に習熟した者に、当該開示を製造し、または、使用することを可能にするために与えられる。本開示の様々な改変は、当技術に習熟した者にとって、容易に明らかであり、この中で特定される一般的な概念は、本開示の精神または範囲から逸脱しない他の変形例に適用され得る。従って、本開示は、この中に記載される例や設計例に限定されることではなく、この中に開示された概念や新規な態様に見合う最も広い範囲を与えられることを意図される。
【図１】
2014123961.tif 000003
【図２】
2014123961.tif 000004
【図３】
2014123961.tif 000005
【図４】
2014123961.tif 000006
【図５】
2014123961.tif 000007
【図６】
2014123961.tif 000008
【図７】
2014123961.tif 000009
【図８Ａ】
2014123961.tif 000010
【図８Ｂ】
2014123961.tif 000011
【図８Ｃ】
2014123961.tif 000012
【図９】
2014123961.tif 000013
【図１０】
2014123961.tif 000014
【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
干渉を与える基地局からの干渉の存在の中での、サービスを提供する基地局とのワイヤレス通信のための方法であって、
受信される信号から基準信号を取り出すこと、前記基準信号は、検出される複数の基地局の中からの最も強い干渉を与える基地局に係る、と、
前記受信される信号から前記基準信号を引き去ることと、
前記受信される信号から複数の基準信号を取り出すこと、前記複数の基準信号は、前記検出される複数の基地局に係る、と、
前記受信される信号から、前記複数の基準信号を引き去ることと、
前記基準信号と前記複数の基準信号とを用いて、合成周波数誤差を推定することと、
前記合成周波数誤差に基づいて周波数トラッキングループを可動にすることと、
前記検出される複数の基地局に係る複数の周波数オフセットを推定することと、
前記合成周波数誤差と前記検出される複数の基地局のうちの１つに係る前記複数の周波数オフセットの１つとを用いて、前記検出される複数の基地局のうちの前記１つに係る残留周波数誤差を補償することと、
を備える方法。
【請求項２】
前記サービスを提供する基地局と干渉を与える基地局とは、ロングタームエボリューション（ＬＴＥ）ネットワークにおける進化型ノードＢである、請求項１に記載の方法。
【請求項３】
前記残留周波数誤差を補償することは、位相回転を適用することにより、サービスを提供する進化型ノードＢに関連して、合成周波数とサービスを提供する周波数との間のチャネルの推定の差異を補償することを備える、請求項１に記載の方法。
【請求項４】
前記複数の基準信号は、サービスを提供する進化型ノードＢと少なくとも１つの干渉を与える進化型ノードＢからの基準信号を含む、請求項１に記載の方法。
【請求項５】
前記残留周波数誤差を補償することは、残りの基地局に対応する前記複数の周波数オフセットを用いて、前記検出される複数の基地局の各々の前記残留周波数誤差を補償することを備える、請求項１に記載の方法。
【請求項６】
前記補償の結果にもとづいて、復調とデコードを行うことをさらに備える、請求項１に記載の方法。
【請求項７】
干渉を与える基地局からの干渉の存在の中で、サービスを提供する基地局をもつワイヤレス通信システムにおいて、動作可能な装置であって、
受信される信号から基準信号を取り出すための手段、前記基準信号は、検出される複数の基地局の中からの最も強い干渉を与える基地局に係る、と、
前記受信される信号から前記基準信号を引き去るための手段と、
前記受信される信号から複数の基準信号を取り出すための手段、前記複数の基準信号は、前記検出される複数の基地局に係る、と、
前記受信される信号から、前記複数の基準信号を引き去るための手段と、
前記基準信号と前記複数の基準信号とを用いて、合成周波数誤差を推定するための手段と、
前記合成周波数誤差に基づいて周波数トラッキングループを可動にするための手段と、
前記検出される複数の基地局に係る複数の周波数オフセットを推定するための手段と、
前記合成周波数誤差と前記検出される複数の基地局のうちの１つに係る前記複数の周波数オフセットの１つとを用いて、前記検出される複数の基地局のうちの前記１つに係る残留周波数誤差を補償するための手段と、
を備える装置。
【請求項８】
前記サービスを提供する基地局と干渉を与える基地局とは、ロングタームエボリューション（ＬＴＥ）ネットワークにおける進化型ノードＢである、請求項７に記載の装置。
【請求項９】
前記残留周波数誤差を補償するための手段は、位相回転を適用することにより、サービスを提供する進化型ノードＢに関連して、合成周波数とサービスを提供する周波数との間のチャネルの推定の差異を補償することを備える、請求項７に記載の装置。
【請求項１０】
前記複数の基準信号は、サービスを提供する進化型ノードＢと少なくとも１つの干渉を与える進化型ノードＢからの基準信号を含む、請求項７に記載の装置。
【請求項１１】
前記残留周波数誤差を補償するための手段は、残りの基地局に対応する前記複数の周波数オフセットを用いて、前記検出される複数の基地局の各々の前記残留周波数誤差を補償することを備える、請求項７に記載の装置。
【請求項１２】
前記補償するための手段の結果にもとづいて、復調とデコードを行うための手段をさらに備える、請求項７に記載の装置。
【請求項１３】
干渉を与える基地局からの干渉の存在の中で、サービスを提供する基地局をもつワイヤレスネットワークにおける、ワイヤレス通信のため、少なくとも１つのプロセッサにより実行可能なプログラムコードをもつコンピュータ読み出し可能記憶媒体であって、
前記プログラムコードは、
受信される信号から基準信号を取り出すためのプログラムコード、前記基準信号は、検出される複数の基地局の中からの最も強い干渉を与える基地局に係る、と、
前記受信される信号から前記基準信号を引き去るためのプログラムコードと、
前記受信される信号から複数の基準信号を取り出すためのプログラムコード、前記複数の基準信号は、前記検出される複数の基地局に係る、と、
前記受信される信号から、前記複数の基準信号を引き去るためのプログラムコードと、
前記基準信号と前記複数の基準信号とを用いて、合成周波数誤差を推定するためのプログラムコードと、
前記合成周波数誤差に基づいて周波数トラッキングループを可動にするためのプログラムコードと、
前記検出される複数の基地局に係る複数の周波数オフセットを推定するためのプログラムコードと、
前記合成周波数誤差と前記検出される複数の基地局のうちの１つに係る前記複数の周波数オフセットの１つとを用いて、前記検出される複数の基地局のうちの前記１つに係る残留周波数誤差を補償するためのプログラムコードと、を有する、
コンピュータ読み出し可能記憶媒体。
【請求項１４】
前記サービスを提供する基地局と干渉を与える基地局とは、ロングタームエボリューション（ＬＴＥ）ネットワークにおける進化型ノードＢである、請求項１３に記載のコンピュータ読み出し可能記憶媒体。
【請求項１５】
前記残留周波数誤差を補償するためのプログラムコードは、位相回転を適用することにより、サービスを提供する進化型ノードＢに関連して、合成周波数とサービスを提供する周波数との間のチャネルの推定の差異を補償することを備える、請求項１３に記載のコンピュータ読み出し可能記憶媒体。
【請求項１６】
前記複数の基準信号は、サービスを提供する進化型ノードＢと少なくとも１つの干渉を与える進化型ノードＢからの基準信号を含む、請求項１３に記載のコンピュータ読み出し可能記憶媒体。
【請求項１７】
前記残留周波数誤差を補償するためのプログラムコードは、残りの基地局に対応する前記複数の周波数オフセットを用いて、前記検出される複数の基地局の各々の前記残留周波数誤差を補償するためのプログラムコードを備える、請求項１３に記載のコンピュータ読み出し可能記憶媒体。
【請求項１８】
前記補償することの結果にもとづいて、復調とデコードを行うためのプログラムをさらに備える、請求項１３に記載のコンピュータ読み出し可能記憶媒体。
【請求項１９】
少なくとも１つのプロセッサと、
前記少なくとも１つのプロセッサに接続されるメモリと、を備え、
前記少なくとも１つのプロセッサは、
受信される信号から基準信号を取り出すためと、ここで、前記基準信号は、検出される複数の基地局の中からの最も強い干渉を与える基地局に係る、
前記受信される信号から前記基準信号を引き去るためと、
前記受信される信号から複数の基準信号を取り出すためと、ここで、前記複数の基準信号は、前記検出される複数の基地局に係る、
前記受信される信号から、前記複数の基準信号を引き去るためと、
前記基準信号と前記複数の基準信号とを用いて、合成周波数誤差を推定するためと、
前記合成周波数誤差に基づいて周波数トラッキングループを可動にするためと、
前記検出される複数の基地局に係る複数の周波数オフセットを推定するためと、
前記合成周波数誤差と前記検出される複数の基地局のうちの１つに係る前記複数の周波数オフセットの１つとを用いて、前記検出される複数の基地局のうちの前記１つに係る残留周波数誤差を補償するためと、に構成され、
干渉を与える基地局からの干渉の存在の中で、サービスを提供する基地局をもつワイヤレス通信システムにおいて、動作可能な装置。
【請求項２０】
前記サービスを提供する基地局と干渉を与える基地局とは、ロングタームエボリューション（ＬＴＥ）ネットワークにおける進化型ノードＢである、請求項１９記載の装置。
【請求項２１】
前記残留周波数誤差を補償するために、前記プロセッサは、位相回転を適用することにより、サービスを提供する進化型ノードＢに関連して、合成周波数とサービスを提供する周波数との間のチャネルの推定の差異を補償するために更に構成される、請求項１９に記載の装置。
【請求項２２】
前記複数の基準信号は、サービスを提供する進化型ノードＢと少なくとも１つの干渉を与える進化型ノードＢからの基準信号を含む、請求項１９記載の装置。
【請求項２３】
前記残留周波数誤差を補償するために、前記プロセッサは、残りの基地局に対応する前記複数の周波数オフセットを用いて、前記検出される複数の基地局の各々の前記残留周波数誤差を補償するために更に構成される、請求項１９に記載の装置。
【請求項２４】
前記プロセッサは、前記補償することの結果にもとづいて、復調とデコードを行うために更に構成される、請求項１９に記載の方法。
【手続補正２】
【補正対象書類名】明細書
【補正対象項目名】０１０５
【補正方法】変更
【補正の内容】
【０１０５】
本開示の先の説明は、当技術に習熟した者に、当該開示を製造し、または、使用することを可能にするために与えられる。本開示の様々な改変は、当技術に習熟した者にとって、容易に明らかであり、この中で特定される一般的な概念は、本開示の精神または範囲から逸脱しない他の変形例に適用され得る。従って、本開示は、この中に記載される例や設計例に限定されることではなく、この中に開示された概念や新規な態様に見合う最も広い範囲を与えられることを意図される。
なお、以下に、出願当初の特許請求の範囲に記載された発明を付記する。
［Ｃ１］  干渉を与える基地局からの干渉の存在の中で、サービスを提供する基地局とのワイヤレス通信のための方法であって、  干渉を与える基地局から基準信号を獲得することと、  前記干渉を与える基地局の前記獲得された基準信号からタイミング基準を得ることと、  前記干渉を与える基地局からの前記タイミング基準に基づき、サービスを提供する基地局と通信することと、  を備える方法。
［Ｃ２］  前記干渉を与える基地局とサービスを提供する基地局とは、ロングタームエボリューション（long term evolution (LTE)）のネットワークにおける進化型ノードＢ（evolved NodeB）である、［Ｃ１］に記載の方法。
［Ｃ３］  前記通信することは、  前記タイミング基準にバックオフを適用することにより、バックオフされたタイミング基準を生成することと、  前記バックオフされたタイミング基準を用いて、前記サービスを提供する基地局と通信することと、  を備える、［Ｃ１］に記載の方法。
［Ｃ４］  干渉を与える基地局からの干渉の存在の中で、サービスを提供する基地局をもつワイヤレス通信システムにおいて、動作可能な装置であって、  干渉を与える基地局から基準信号を獲得するための手段と、  前記干渉を与える基地局の前記獲得された基準信号からタイミング基準を得るための手段と、  前記干渉を与える基地局からの前記タイミング基準に基づき、サービスを提供する基地局と通信するための手段と、  を備える装置。
［Ｃ５］  干渉を与える基地局からの干渉の存在の中で、サービスを提供する基地局をもつワイヤレスネットワークにおける、ワイヤレス通信のためのコンピュータプログラム製品であって、  その上に記録されたプログラムコードを有するコンピュータ読み出し可能媒体を備え、  前記プログラムコードは  干渉を与える基地局から基準信号を獲得するためのプログラムコードと、  前記干渉を与える基地局の前記獲得された基準信号からタイミング基準を得るためのプログラムコードと、  前記干渉を与える基地局からの前記タイミング基準に基づき、サービスを提供する基地局と通信するためのプログラムコードと、を有する、  コンピュータプログラム製品。
［Ｃ６］  干渉を与える基地局からの干渉の存在の中で、前記サービスを提供する基地局をもつワイヤレス通信システムにおいて、動作可能な装置であって、  少なくとも１つのプロセッサと、  前記少なくとも１つのプロセッサに接続されるメモリと、を備え、  前記少なくとも１つのプロセッサは、  干渉を与える基地局から基準信号を獲得するためと、  前記干渉を与える基地局の前記獲得された基準信号からタイミング基準を得るためと、  前記干渉を与える基地局からの前記タイミング基準に基づき、サービスを提供する基地局と通信するためと、に構成される、  装置。
［Ｃ７］  干渉を与える基地局からの干渉の存在の中で、サービスを提供する基地局をもつワイヤレス通信システムにおいて、動作可能な方法であって、  干渉を与える強い基地局から第１の基準信号を獲得することと、  前記第１の基準信号から第１の周波数基準を得ることと、  前記干渉を与える基地局からの前記第１の周波数基準に基づき、サービスを提供する基地局と通信することと、  を備える方法。
［Ｃ８］  前記サービスを提供する基地局から第２の基準信号を獲得することと、  前記第２の基準信号から第２の周波数基準を得ることと、  前記第１と第２の周波数基準を用いて、前記サービスを提供する基地局と前記干渉を与える強い基地局との間の周波数オフセットの違いを推定することと、  前記サービスを提供する基地局において前記周波数オフセットの違いを補償することと、  を更に備える、［Ｃ７］に記載の方法。
［Ｃ９］  前記干渉を与える基地局とサービスを提供する基地局とは、ロングタームエボリューション（long term evolution (LTE)）のネットワークにおける進化型ノードＢ（evolved NodeB）である、［Ｃ７］に記載の方法。
［Ｃ１０］  干渉を与える基地局からの干渉の存在の中で、サービスを提供する基地局をもつワイヤレス通信システムにおいて、動作可能な装置であって、  干渉を与える強い基地局から第１の基準信号を獲得するための手段と、  前記第１の基準信号から第１の周波数基準を得るための手段と、  前記干渉を与える基地局からの前記第１の周波数基準に基づき、サービスを提供する基地局と通信するための手段と、  を備える装置。
［Ｃ１１］  干渉を与える基地局からの干渉の存在の中で、サービスを提供する基地局をもつワイヤレスネットワークにおける、ワイヤレス通信のためのコンピュータプログラム製品であって、  その上に記録されたプログラムコードを有するコンピュータ読み出し可能媒体を備え、  前記プログラムコードは、  干渉を与える強い基地局から第１の基準信号を獲得するためのプログラムコードと、  前記第１の基準信号から第１の周波数基準を得るためのプログラムコードと、  前記干渉を与える基地局からの前記第１の周波数基準に基づき、サービスを提供する基地局と通信するためのプログラムコードと、を有する、  コンピュータプログラム製品。
［Ｃ１２］  干渉を与える基地局からの干渉の存在の中で、サービスを提供する基地局をもつワイヤレスネットワークにおいて、動作可能な装置であって、  少なくとも１つのプロセッサと、  前記少なくとも１つのプロセッサに接続されるメモリと、を備え、  前記少なくとも１つのプロセッサは、  干渉を与える強い基地局から第１の基準信号を獲得するためと、  前記第１の基準信号から第１の周波数基準を得るためと、  前記干渉を与える基地局からの前記第１の周波数基準に基づき、サービスを提供する基地局と通信するためと、に構成される、  装置。
［Ｃ１３］  干渉を与える基地局からの干渉の存在の中で、サービスを提供する基地局をもつワイヤレス通信システムにおいて、動作可能な方法であって、  第１の基地局から第１の基準信号を獲得することと、  前記第１の基準信号から第１の電力遅延プロファイル(PDP)をつくることと、  第２の基地局から第２の基準信号を獲得することと、  前記第２の基準信号から第２の電力遅延プロファイルをつくることと、  前記第１と第２の電力遅延プロファイルから合成電力遅延プロファイルをつくることと、  前記合成電力遅延プロファイルから、合成された信号に係るタイミング基準を生成することと、  を備える方法。
［Ｃ１４］  前記第１と第２の基地局は、ロングタームエボリューション（long term evolution (LTE)）のネットワークにおける進化型ノードＢ（evolved NodeB）である、［Ｃ１３］に記載の方法。
［Ｃ１５］  第３の基地局から第３の基準信号を獲得することと、  前記第３の基準信号から第３の電力遅延プロファイルをつくることと、を更に備え、  前記合成電力遅延プロファイルをつくることは、更に、前記第３の電力遅延プロファイルから合成電力遅延プロファイルをつくること、を有する、  ［Ｃ１３］に記載の方法。
［Ｃ１６］  前記第２の基準信号を獲得することの前に、前記第２の基準信号をキャンセルすること、  を更に備える［Ｃ１３］に記載の方法。
［Ｃ１７］  前記合成電力遅延プロファイルをつくることは、第１と第２の電力遅延プロファイルに重みを適用すること、を更に有する［Ｃ１３］に記載の方法。
［Ｃ１８］  前記第１の電力遅延プロファイルに与えられる前記重みは、前記第１の基地局と前記第２の基地局のセルタイプに基づく、［Ｃ１７］に記載の方法。
［Ｃ１９］  前記第１の基地局または前記第２の基地局のセルタイプは、プライマリ同期信号（Primary Synchronization Signal (PSS)）、セカンダリ同期信号（Secondary Synchronization Signal (SSS)）、物理同報チャネル（Physical Broadcast Channel (PBCH)）、前記ＰＢＣＨのシステム情報、および、近くの局リスト（neighbor list）の内の１つに基づき決められる、  ［Ｃ１８］に記載の方法。
［Ｃ２０］  干渉を与える基地局からの干渉の存在の中で、サービスを提供する基地局をもつワイヤレス通信システムにおいて、動作可能な装置であって、  第１の基地局から第１の基準信号を獲得するための手段と、  前記第１の基準信号から第１の電力遅延プロファイル（PDP）をつくるための手段と、  第２の基地局から第２の基準信号を獲得するための手段と、  前記第２の基準信号から第２の電力遅延プロファイルをつくるための手段と、  前記第１と第２の電力遅延プロファイルから合成電力遅延プロファイルをつくるための手段と、  前記合成電力遅延プロファイルから、合成された信号に係るタイミング基準を生成するための手段と、  を備える装置。
［Ｃ２１］  干渉を与える基地局からの干渉の存在の中で、サービスを提供する基地局をもつワイヤレスネットワークにおける、ワイヤレス通信のためのコンピュータプログラム製品であって、  その上に記録されたプログラムコードをもつコンピュータ読み出し可能媒体を備え、  前記プログラムコードは、  第１の基地局から第１の基準信号を獲得するためのプログラムコードと、  前記第１の基準信号から第１の電力遅延プロファイル（PDP）をつくるためのプログラムコードと、  第２の基地局から第２の基準信号を獲得するためのプログラムコードと、  前記第２の基準信号から第２の電力遅延プロファイルをつくるためのプログラムコードと、  前記第１と第２の電力遅延プロファイルから合成電力遅延プロファイルをつくるためのプログラムコードと、  前記合成電力遅延プロファイルから、合成された信号に係るタイミング基準を生成するためのプログラムコードと、を有する、  コンピュータプログラム製品。
［Ｃ２２］  干渉を与える基地局からの干渉の存在の中で、サービスを提供する基地局をもつワイヤレス通信システムにおいて、動作可能な装置であって、  少なくとも１つのプロセッサと、  前記少なくとも１つのプロセッサに接続されるメモリと、を備え、  前記少なくとも１つのプロセッサは、  第１の基地局から第１の基準信号を獲得するためと、  前記第１の基準信号から第１の電力遅延プロファイル（PDP）をつくるためと、  第２の基地局から第２の基準信号を獲得するためと、  前記第２の基準信号から第２の電力遅延プロファイルをつくるためと、  前記第１と第２の電力遅延プロファイルから合成電力遅延プロファイルをつくるためと、  前記合成電力遅延プロファイルから、合成された信号に係るタイミング基準を生成するためと、に構成される、  装置。
［Ｃ２３］  前記第１と第２の基地局は、ロングタームエボリューション（long term evolution (LTE)）のネットワークにおける進化型ノードＢ（evolved NodeB）である、［Ｃ２２］に記載の装置。
［Ｃ２４］  前記プロセッサは、更に、  第３の基地局から第３の基準信号を獲得するためと、  前記第３の基準信号から第３の電力遅延プロファイルをつくるためと、に構成され、  前記プロセッサが合成電力遅延プロファイルをつくるために構成されることは、前記第３の電力遅延プロファイルから合成電力遅延プロファイルをつくために前記プロセッサを構成すること、を有する、  ［Ｃ２２］に記載の方法。
［Ｃ２５］  前記プロセッサは、更に、前記第２の基準信号を獲得する前に、前記第１の基準信号をキャンセルするために構成される、  ［Ｃ２２］に記載の装置。
［Ｃ２６］  合成電力遅延プロファイルをつくることは、更に、第１と第２の電力遅延プロファイルに重みを適用すること、を備える  ［Ｃ２２］に記載の装置。
［Ｃ２７］  前記第１の電力遅延プロファイルに与えられる前記重みは、前記第１の基地局と前記第２の基地局のセルタイプに基づく、［Ｃ２６］に記載の装置。
［Ｃ２８］  前記第１の基地局または前記第２の基地局のセルタイプは、以下：  プライマリ同期信号（Primary Synchronization Signal (PSS)）、セカンダリ同期信号（Secondary Synchronization Signal (SSS)）、物理同報チャネル（Physical Broadcast Channel (PBCH)）、前記ＰＢＣＨのシステム情報、および、近くの局リスト（neighbor list）、  の内の１つに基づき決められる、  ［Ｃ２７］に記載の装置。
［Ｃ２９］  干渉を与える基地局からの干渉の存在の中での、サービスを提供する基地局とのワイヤレス通信のための方法であって、  受信される信号から基準信号を取り出すこと、前記基準信号は、検出される複数の基地局の中からの最も強い干渉を与える基地局に係る、と、  前記受信される信号から前記基準信号を引き去ることと、  前記受信される信号から複数の基準信号を取り出すこと、前記複数の基準信号は、前記検出される複数の基地局に係る、と、  前記受信される信号から、前記複数の基準信号を引き去ることと、  前記基準信号と前記複数の基準信号とを用いて、合成周波数誤差を推定することと、  前記合成周波数誤差に基づいて周波数トラッキングループを可動にすることと、  前記検出される複数の基地局に係る複数の周波数オフセットを推定することと、  前記合成周波数誤差と前記検出される複数の基地局のうちの１つに係る前記複数の周波数オフセットの１つとを用いて、前記検出される複数の基地局のうちの前記１つに係る残留周波数誤差を補償することと、  を備える方法。
［Ｃ３０］  干渉を与える基地局からの干渉の存在の中で、サービスを提供する基地局をもつワイヤレス通信システムにおいて、動作可能な装置であって、  受信される信号から基準信号を取り出すための手段、前記基準信号は、検出される複数の基地局の中からの最も強い干渉を与える基地局に係る、と、  前記受信される信号から前記基準信号を引き去るための手段と、  前記受信される信号から複数の基準信号を取り出すための手段、前記複数の基準信号は、前記検出される複数の基地局に係る、と、  前記受信される信号から、前記複数の基準信号を引き去るための手段と、  前記基準信号と前記複数の基準信号とを用いて、合成周波数誤差を推定するための手段と、  前記合成周波数誤差に基づいて周波数トラッキングループを可動にするための手段と、  前記検出される複数の基地局に係る複数の周波数オフセットを推定するための手段と、  前記合成周波数誤差と前記検出される複数の基地局のうちの１つに係る前記複数の周波数オフセットの１つとを用いて、前記検出される複数の基地局のうちの前記１つに係る残留周波数誤差を補償するための手段と、  を備える装置。
［Ｃ３１］  干渉を与える基地局からの干渉の存在の中で、サービスを提供する基地局をもつワイヤレスネットワークにおける、ワイヤレス通信のためのコンピュータプログラム製品であって、  その上に記録されたプログラムコードをもつコンピュータ読み出し可能媒体を備え、  前記プログラムコードは、  受信される信号から基準信号を取り出すためのプログラムコード、前記基準信号は、検出される複数の基地局の中からの最も強い干渉を与える基地局に係る、と、  前記受信される信号から前記基準信号を引き去るためのプログラムコードと、  前記受信される信号から複数の基準信号を取り出すためのプログラムコード、前記複数の基準信号は、前記検出される複数の基地局に係る、と、  前記受信される信号から、前記複数の基準信号を引き去るためのプログラムコードと、  前記基準信号と前記複数の基準信号とを用いて、合成周波数誤差を推定するためのプログラムコードと、  前記合成周波数誤差に基づいて周波数トラッキングループを可動にするためのプログラムコードと、  前記検出される複数の基地局に係る複数の周波数オフセットを推定するためのプログラムコードと、  前記合成周波数誤差と前記検出される複数の基地局のうちの１つに係る前記複数の周波数オフセットの１つとを用いて、前記検出される複数の基地局のうちの前記１つに係る残留周波数誤差を補償するためのプログラムコードと、を有する、  コンピュータプログラム製品。
［Ｃ３２］  少なくとも１つのプロセッサと、  前記少なくとも１つのプロセッサに接続されるメモリと、を備え、  前記少なくとも１つのプロセッサは、  受信される信号から基準信号を取り出すためと、ここで、前記基準信号は、検出される複数の基地局の中からの最も強い干渉を与える基地局に係る、  前記受信される信号から前記基準信号を引き去るためと、  前記受信される信号から複数の基準信号を取り出すためと、ここで、前記複数の基準信号は、前記検出される複数の基地局に係る、  前記受信される信号から、前記複数の基準信号を引き去るためと、  前記基準信号と前記複数の基準信号とを用いて、合成周波数誤差を推定するためと、  前記合成周波数誤差に基づいて周波数トラッキングループを可動にするためと、  前記検出される複数の基地局に係る複数の周波数オフセットを推定するためと、  前記合成周波数誤差と前記検出される複数の基地局のうちの１つに係る前記複数の周波数オフセットの１つとを用いて、前記検出される複数の基地局のうちの前記１つに係る残留周波数誤差を補償するためと、に構成され、  干渉を与える基地局からの干渉の存在の中で、サービスを提供する基地局をもつワイヤレス通信システムにおいて、動作可能な装置。
【外国語明細書】
2014123961000001.pdf